(57)【特許請求の範囲】
【請求項１】
発光により演出を行なう演出装置が配設された遊技機において、
前記演出装置は、
第１の光透過部材と、
前記第１の光透過部材に対向する第２の光透過部材と、
前記第２の光透過部材の裏側に配設され、前方に光を照射する第１発光体および第２発光体とを備え、
前記第２の光透過部材は、
前記第１の光透過部材に対向する表面とは反対の裏面に、前記第１発光体と対向する部分を中心として凹部を同心円状に配置した光拡散部が形成されると共に、前記第２発光体の前側に臨む裏面には、前記光拡散部での光の明輝形態とは異なる形態で明輝する光透過部が形成され、
前記第２の光透過部材の表面に、少なくとも前記光透過部を除く部位に、光拡散加工を施した
ことを特徴とする遊技機。
【請求項２】
前記第２の光透過部材の表面における前記光透過部に対応する部位は平坦面に形成される請求項１記載の遊技機。
【請求項３】
前記光拡散部における中心部は、第１発光体側に凸となる弧状に形成されると共に、前記第２の光透過部材における前記中心部に対応する位置には、前側に向かうにつれて拡開する円錐状の反射凹部が形成される請求項１または２記載の遊技機。
【請求項４】
前記光透過部の裏面に、光拡散加工が施される請求項１〜３の何れか一項に記載の遊技機。
【請求項５】
前記第１の光透過部材の裏面に、前記第２の光透過部材に施されている光拡散形態とは異なる形態の光拡散加工が施される請求項１〜４の何れか一項に記載の遊技機。
【発明の詳細な説明】
【技術分野】
【０００１】
本発明は、発光体の発光により演出を行なう演出装置を備えた遊技機に関するものである。
【背景技術】
【０００２】
代表的な遊技機であるパチンコ機は、遊技盤の盤面に画成した遊技領域の略中央位置に枠状の枠状装飾部材(所謂センター役物)が配設されており、この枠状装飾部材の開口部を介して複数の図柄を変動表示して図柄変動ゲームを行なう液晶式やドラム式等の図柄表示装置を後方から臨ませると共に、該遊技盤における枠状装飾部材の下方位置に、パチンコ球(遊技球)の入賞により図柄表示装置での変動を開始させる始動入賞装置や大当り時等に開放する特別入賞装置を配設するよう構成されたものが多数提案されている。このようなパチンコ機では、前記遊技領域に打ち出されたパチンコ球が遊技領域内に植設された遊技釘等との接触により跳ね返りながら次第に自重により流下し、該遊技領域を流下する過程で前記始動入賞装置に入賞することにより、前記図柄表示装置で図柄変動演出に伴うリーチ演出等の各種の遊技演出がなされ、該図柄表示装置に図柄が所定の組み合わせで停止することにより所謂大当りが発生し、遊技盤に設けられた特別入賞装置が開放して多数の賞球を獲得し得るよう構成される。一方で、遊技領域を流下する過程で遊技盤に設けられた始動入賞装置等の各種入賞装置に入賞せず遊技領域の最下部まで流下したパチンコ球は、遊技領域の最下部に設けられたアウト口を介してパチンコ機裏側の球回収部に回収されるようになっている(例えば、特許文献１参照)。
【０００３】
また、近年の多くのパチンコ機では、前記枠状装飾部材に所要の動作が可能な可動体を備えた可動演出装置を配設し、該可動体を前記図柄表示装置で行なわれる演出に合わせて動作させることで視覚的な演出効果を高め、遊技の興趣を向上するようにしたパチンコ機も知られている。例えば、特許文献１には、図柄表示装置が臨む枠状装飾部材に、棒状に形成された可動体が揺動可能に支持されて、種々のタイミングで可動体を動作させる構成が開示されている。また、特許文献１に開示された可動体は、後面をなすベース部材および前面をなす光透過製のカバー部材の間に画成される空間部に発光体を備えた基板を収容して、該発光体を発光することで所謂「保留数」を表示するよう構成されている。
【先行技術文献】
【特許文献】
【０００４】
【特許文献１】特開２００５−１１０８６２号
【発明の概要】
【発明が解決しようとする課題】
【０００５】
しかしながら、特許文献１のように可動体に設けた発光体を点光源として利用する場合は別として、該発光体で可動体の発光領域を広範囲に設定する場合には、カバー部材にダイヤカットや球面状カット等の光拡散処理をなしたとしても、その光拡散効果は充分ではなく、１つの発光体で明輝させ得る範囲は限定的にならざるを得ない。なお、発光体の配設数を増加することにより可動体を広範囲で明輝することはできるが、該明輝態様は毎回同じであり、発光演出の面白みに欠け、興趣の向上は期待できないものであった。
そこで本発明は、従来の技術に係る遊技機に内在する前記課題に鑑み、これを好適に解決するべく提案されたものであって、１つの発光体の光が効果的に拡散でき、明輝される領域を拡大することが可能となると共に、興趣のある発光演出を行ない得る演出装置を備えた遊技機を提供することを目的とする。
【課題を解決するための手段】
【０００６】
前記課題を克服し、所期の目的を達成するため、本願の請求項１に係る発明は、
発光により演出を行なう演出装置(M3)が配設された遊技機において、
前記演出装置(M3)は、
第１の光透過部材(134)と、
前記第１の光透過部材(134)に対向する第２の光透過部材(135)と、
前記第２の光透過部材(135)の裏側に配設され、前方に光を照射する第１発光体(133a)および第２発光体(133b)とを備え、
前記第２の光透過部材(135)は、
前記第１の光透過部材(134)に対向する表面とは反対の裏面に、前記第１発光体(133a)と対向する部分を中心として凹部(139)を同心円状に配置した光拡散部(136)が形成されると共に、前記第２発光体(133b)の前側に臨む裏面には、前記光拡散部(136)での光の明輝形態とは異なる形態で明輝する光透過部(140)が形成され、
前記第２の光透過部材(135)の表面に、少なくとも前記光透過部(140)を除く部位に、光拡散加工を施したことを要旨とする。
請求項１に係る発明によれば、複数の光透過部材を前後に重ね合わせるようにしたことで、発光体の発光時における光拡散効果が向上し、１つの発光体でより広範囲を明輝させ得るようになる。従って、発光体の数を低減でき、部品点数の削減により製造工程の簡略化を図り得ると共に、コストの低減を実現できる。しかも、第２の光透過部材において、表面に光拡散加工を施すと共に裏面に光拡散部を形成したことで、光拡散加工された表面側で広範囲に光が反射されると共に、表面側からの反射光が光拡散部でも広範囲に拡散され、１つの発光体で光を照射できる範囲が格段に広がる。また第２の光透過部材の裏面に、光拡散部とは形態が異なる光透過部を形成することで、第１発光体および第２発光体との点灯時における第１の光透過部材の明輝態様を異ならせることができ、発光演出の興趣を向上し得る。
【０００７】
請求項２に係る発明では、前記第２の光透過部材(135)の表面における前記光透過部(140)に対応する部位は平坦面(143)に形成されることを要旨とする。
請求項２に係る発明によれば、第１の光透過部材における第１発光体および第２発光体との対応部分での明輝態様が異なることが明確になる。
請求項３に係る発明では、前記光拡散部(136)における中心部は、第１発光体(133a)側に凸となる弧状に形成されると共に、前記第２の光透過部材(135)における前記中心部に対応する位置には、前側に向かうにつれて拡開する円錐状の反射凹部(138)が形成されることを要旨とする。
請求項３に係る発明によれば、第１発光体の照射光を、反射凹部から光拡散部に対して広範囲に反射することができる。
請求項４に係る発明では、前記光透過部(140)の裏面に、光拡散加工が施されることを要旨とする。
請求項４に係る発明によれば、光透過部でも光を拡散することができる。
請求項５に係る発明では、前記第１の光透過部材(134)の裏面に、前記第２の光透過部材(135)に施されている光拡散形態とは異なる形態の光拡散加工が施されることを要旨とする。
請求項５に係る発明によれば、興趣のある発光演出を行ない得る。
【発明の効果】
【０００８】
本発明に係る遊技機によれば、１つの発光体の光が効果的に拡散でき、明輝される領域を拡大することが可能となると共に、興趣のある発光演出を行ない得る。
【図面の簡単な説明】
【０００９】
【図１】本発明の好適な実施例に係るパチンコ機を示す正面図である。
【図２】実施例に係る遊技盤を、第１および第２の可動体が作動位置に移動した状態で示す正面図である。
【図３】実施例に係る設置部材と遊技盤および枠状装飾体を分解して前側から示す斜視図である。
【図４】実施例に係る遊技盤を取外した設置部材を、第１および第２の可動体が待機位置の状態で示す正面図である。
【図５】実施例に係る遊技盤を取外した設置部材を、第１および第２の可動体が作動位置に移動した状態で示す正面図である。
【図６】実施例に係る遊技盤と設置部材と枠状装飾体とを組付けた状態での要部横断平面図である。
【図７】実施例に係る設置部材から第１および第２可動演出装置を分離した状態で前側から示す斜視図である。
【図８】実施例に係る第１および第２可動演出装置を裏側から示す斜視図である。
【図９】実施例に係る第１可動演出装置を分解して前側から視た状態で示す概略斜視図である。
【図１０】実施例に係る第１可動演出装置を分解して裏側から視た状態で示す概略斜視図である。
【図１１】実施例に係る設置部材を第１可動演出装置の配設箇所で縦断して示す要部側面図である。
【図１２】実施例に係る第１可動演出装置における前後の球体による支持箇所を夫々示す要部断面図である。
【図１３】実施例に係る第１可動演出装置を、第１カバー体を取外した状態で前後の球体と可動基部との位置関係を示す要部正面図である。
【図１４】実施例に係る第１可動演出装置において、第１配線の引き回し状態を示す要部正面図である。
【図１５】実施例に係る第１可動演出装置において、第１カバー体を取外した状態で第１の可動体の移動時に第１配線の状態が変化する様子を示す説明図である。
【図１６】実施例に係る第１可動演出装置の第１の可動体の断面図を示すと共に、第５光拡散部の拡大図を丸で囲んで示す。
【図１７】実施例に係る第１可動演出装置の第１の可動体に設けた光拡散部を示す拡大図であって、ＬＥＤからの光が各光拡散部で反射する様子を説明的に示す。
【図１８】実施例に係る第１の可動体の第２光透過部材を裏側から示す要部拡大斜視図である。
【図１９】実施例に係る第２可動演出装置を分解して前側から視た状態で示す概略斜視図である。
【図２０】実施例に係る第２可動演出装置を分解して裏側から視た状態で示す概略斜視図である。
【図２１】実施例に係る設置部材を第２可動演出装置の配設箇所で縦断して示す要部側面図である。
【図２２】実施例に係る第２可動演出装置における前後の球体による支持箇所を夫々示す要部断面図である。
【図２３】実施例に係る第２可動演出装置を、第２カバー体を取外した状態で前後の球体と可動基部との位置関係を示す要部正面図である。
【図２４】実施例に係る第２可動演出装置において、第２配線の引き回し状態を示す要部正面図である。
【図２５】実施例に係る第２可動演出装置において、第２カバー体を取外した状態で第２の可動体の移動時に第２配線の状態が変化する様子を示す説明図である。
【図２６】実施例に係る第３可動演出装置の縦断側面図である。
【図２７】実施例に係る第３の可動体を分解して前側から視た状態で示す斜視図である。
【図２８】実施例に係る第３の可動体を分解して後側から視た状態で示す斜視図である。
【図２９】実施例に係る第３可動演出装置に設けた光拡散構成部を示す拡大図であって、ＬＥＤからの光が反射する様子を説明的に示すと共に、第８光拡散部を更に拡大した図を丸で囲んで示している。
【図３０】実施例に係る第３可動演出装置に設けた異形光拡散部を示す拡大図であって、ＬＥＤからの光が反射する様子を説明的に示すと共に、第９光拡散部を更に拡大した図を丸で囲んで示している。
【図３１】実施例に係る第３の可動体の装飾カバー体を裏側から示す要部拡大斜視図である。
【発明を実施するための形態】
【００１０】
次に、本発明に係る遊技機につき、好適な実施例を挙げて、添付図面を参照しながら以下詳細に説明する。なお、実施例では、遊技球としてパチンコ球を用いて遊技を行なうパチンコ機を例に挙げて説明する。また、以下の説明において、「前」、「後」、「左」、「右」、「上」、「下」とは、特に断りのない限り、図１に示すようにパチンコ機を前側(遊技者側)から見た状態で指称する。
【実施例】
【００１１】
(パチンコ機について)
実施例に係るパチンコ機１０は、図１に示すように、矩形枠状に形成されて遊技店の図示しない設置枠台に固定される固定枠としての外枠１１の開口前面側に、後述する遊技盤１７(図２参照)が着脱可能に保持された本体枠としての中枠１２が開閉および着脱可能に組付けられて、該遊技盤１７の裏側に対して、各種図柄を変動表示可能な図柄表示装置１３が着脱し得るよう配設されている。前記中枠１２の前面側には、前記遊技盤１７を透視保護するガラス板を備えた装飾枠としての前枠１４が開閉可能に組付けられている。この前枠１４の下部位置に、パチンコ球を貯留する上球受け皿１５が一体的に組付けられており、前枠１４の開閉に合わせて上球受け皿１５も一体的に開閉するよう構成される。また前記中枠１２には、前記前枠１４の下方にパチンコ球を貯留する下球受け皿１６が開閉可能に組付けられている。
【００１２】
(遊技盤について)
前記中枠１２に配設される前記遊技盤１７は、図２に示すように、前面(盤面)にパチンコ球が流下可能な遊技領域１７ａが画成され、アクリルやポリカーボネート等の光透過性の合成樹脂材からなる平板状の透明板で構成される。遊技盤１７の前面には、円弧状に形成した案内レール１８が配設されると共に、該案内レール１８の右方位置に、左端縁が右方に凹む円弧状に形成した盤面飾り部材１９が配設される。そして、案内レール１８および盤面飾り部材１９により遊技領域１７ａが略円形状に画成され、該遊技領域１７ａ内に、中枠１２に配設された図示しない打球発射装置から発射されたパチンコ球が打ち出され、該遊技領域１７ａ内をパチンコ球が流下して遊技が行なわれる。また、遊技盤１７の遊技領域１７ａ内には、多数の遊技釘が植設されており、該遊技釘との接触により遊技領域１７ａを流下するパチンコ球の流下方向が不規則に変化するよう構成してある。
【００１３】
前記遊技盤１７には、図１または図２に示す如く、後述する枠状装飾部材２３の下縁より下方位置に、前記遊技領域１７ａを流下するパチンコ球が入賞可能な始動入賞装置２０および特別入賞装置２１等が配設される。始動入賞装置２０は、遊技領域１７ａを流下するパチンコ球が入賞可能な始動入賞口が設けられる。そして、始動入賞装置２０の始動入賞口へ入賞したパチンコ球が始動入賞センサ(図示せず)で検出されることで、図柄表示装置１３の表示部１３ａで図柄変動が開始されると共に、所定数(例えば５個)のパチンコ球が賞球として前記上下の球受け皿１５,１６に払い出される。
【００１４】
前記特別入賞装置２１は、入賞口が開閉扉で常には閉鎖されており、前記図柄表示装置１３での図柄変動の結果、図柄表示装置１３の表示部１３ａに所定の図柄組み合わせ(例えば同一図柄の三つ揃い等)で図柄が停止表示されることで所謂「大当り」が発生し、これにより開閉扉が開放するよう作動制御されて、入賞口への入賞により多数の賞球を獲得し得るようになっている。なお、図２の符号２２は、遊技盤１７に配設されて、常に入賞口を開放している普通入賞装置を示す。
【００１５】
(装飾部材について)
前記遊技盤１７の中央には、図３に示す如く、前後に貫通する大型の貫通孔１７ｂが形成されており、該貫通孔１７ｂに対して前後に開口する枠状の枠状装飾部材(所謂センター役物)２３が嵌め込まれるように着脱可能に配設される。そして、後述する設置部材２８の開口部２８ａから臨む前記図柄表示装置１３の表示部１３ａは、枠状装飾部材２３における前後に開口する窓口(可視部)２３ａを介して遊技盤１７の前側に露出して、該図柄表示装置１３の表示部１３ａで展開される図柄変動演出を前側から視認し得るようになっている。
【００１６】
前記枠状装飾部材２３には、図１〜図３に示す如く、上縁部から左右両縁部に亘り、遊技盤１７の前面より前方に突出する円弧状の庇状部２３ｂが設けられており、前記遊技領域１７ａに打ち出されたパチンコ球を外周部の庇状部２３ｂで案内し得ると共に、該パチンコ球が枠状装飾部材２３の窓口２３ａを横切って流下するのを該庇状部２３ｂで規制している。また枠状装飾部材２３には、窓口２３ａの下側に、ステージ２４が配設されると共に、窓口２３ａの左側に、遊技領域１７ａに開口して該遊技領域１７ａを流下するパチンコ球を取込んでステージ２４に案内する球導入部２５が設けられ、該球導入部２５からステージ２４に通出されたパチンコ球は、ステージ２４上を左右に転動した後に、前記各入賞装置２０,２１,２２が配設されている遊技領域１７ａに排出される。
【００１７】
前記ステージ２４の後端縁には、左右方向の全長に亘って上側に向けて所定高さで立上がる透明壁２６が設けられ、ステージ２４上を転動するパチンコ球が図柄表示装置１３の表示部１３ａ側に移動するのを該透明壁２６で防止している。
【００１８】
(設置部材について)
前記遊技盤１７の裏面には、図３〜図７に示す如く、前記図柄表示装置１３が着脱可能に配設されると共に、後述する可動演出装置Ｍ１,Ｍ２,Ｍ３や複数の発光装置１４４,１４５,１４６等の遊技部品が配設される合成樹脂材で形成された設置部材２８が配設され、該設置部材２８に形成された前後に開口する開口部２８ａを介して図柄表示装置１３の表示部１３ａを遊技盤１７の前側から視認し得るよう構成されている。実施例では、設置部材２８の開口部２８ａは、上辺、下辺、左辺および右辺で画成される略４角形状に開口しており、図柄表示装置１３の表示部１３ａは開口部２８ａから視認可能な領域となることから、該開口部２８ａの縁部が表示部１３ａの外縁となっている。
【００１９】
前記設置部材２８は、図３〜図７に示すように、前方に開口する矩形箱状に形成された箱状本体２９と、該箱状本体２９の開口前端部に形成されて当該箱状本体２９の開口外側へ延出し、前記遊技盤１７の裏面に当接する取付部３０とから構成される。箱状本体２９は、遊技盤１７に対向する矩形板状に形成された対向面壁３１と、該対向面壁３１における上下左右の各縁部から前方に延出する画壁３２とから前方に開口するよう形成されて、各画壁３２の前端部から箱状本体２９の開口外側へ向けて延出するよう取付部３０が形成される。そして、取付部３０の前面を遊技盤１７の裏面に当接した状態で、取付部３０を遊技盤１７にネジ止めすることによって遊技盤１７に設置部材２８が固定される。
【００２０】
前記対向面壁３１には、図７に示す如く、上下および左右幅の大部分が開口する大型の前記開口部２８ａが形成されている。以下の説明において、対向面壁３１における開口部２８ａに対する上下左右に位置する部分について、上対向面壁３１ａ、下対向面壁３１ｂ、左対向面壁３１ｃ、右対向面壁３１ｄと夫々指称するものとする。
【００２１】
前記遊技盤１７の裏側に設置部材２８を取付けた状態で、該設置部材２８の対向面壁３１と遊技盤１７との間に所要の設置空間Ｓが画成される。設置部材２８の対向面壁３１には、図４および図６に示す如く、左対向面壁３１ｃおよび下対向面壁３１ｂに第１可動演出装置Ｍ１が配設されると共に、右対向面壁３１ｄおよび下対向面壁３１ｂに第２可動演出装置Ｍ２が配設され、これら第１可動演出装置Ｍ１および第２可動演出装置Ｍ２は、遊技盤１７の盤面に沿う方向で左右に離間している。また、上対向面壁３１ａに、第３可動演出装置Ｍ３が配設される。そして、これら３つの可動演出装置Ｍ１,Ｍ２,Ｍ３が、設置部材２８と遊技盤１７との間に画成される設置空間Ｓに夫々収容される。
【００２２】
(第１可動演出装置について)
図４〜図９に示すように、前記第１可動演出装置Ｍ１は、前記設置部材２８に取付けられる第１の本体をなす第１支持部材３３と、該第１支持部材３３に支持されて遊技盤１７の盤面に沿って所要の動作を行ない得る第１の可動体３４と、第１支持部材３３の前側に配設されて第１の可動体３４を駆動する第１の駆動手段としての第１モータ３５とを備えている。第１の可動体３４は、刀の刀身を模した長尺な形状に形成された第１装飾体部３６と、該第１装飾体部３６の長手方向の一端に設けられて前記第１支持部材３３に揺動可能に支持される第１可動基部３７とから構成される。第１支持部材３３は、設置部材２８の左対向面壁３１ｃと下対向面壁３１ｂとが交差する隅部(箱状本体２９の下左隅部)に突設された複数の第１取付突部３８の前端にネジ止め固定されて、該第１支持部材３３に支持されている第１の可動体３４は、通常時には設置部材２８の左開口端に沿って上下方向に延在する姿勢(図４参照)となる待機位置に保持されている。前記第１取付突部３８の前端位置は、第２可動演出装置Ｍ２を設置部材２８に固定するための後述する第２取付突部９０の前端位置より後方に位置し、該第１取付突部３８の前端に第１支持部材３３を固定した状態で、図６に示す如く、該第１支持部材３３の裏面は対向面壁３１に近接し、設置部材２８の前側に取付けられる遊技盤１７と第１支持部材３３との間に、第１モータ３５を収容可能な空間を確保し得るよう構成される。
【００２３】
実施例では、図１に示すように、前記第１の可動体３４が待機位置にある状態において、該第１の可動体３４の前側に前記遊技盤１７および枠状装飾部材２３が位置するよう構成されており、該枠状装飾部材２３で第１の可動体３４の右側部分が覆われている。なお、待機位置の第１の可動体３４と遊技盤１７との間には、後述する左発光装置１４４が位置して、該左発光装置１４４により第１の可動体３４の左側部分が覆われるようになっている(図６参照)。また第１の可動体３４は、後述する作動位置において前記窓口２３ａの対応する左端縁部から図柄表示装置１３における表示部１３ａの略中央まで延出する大型のものであって(図２,図５参照)、待機位置と作動位置との間を、前記設置空間Ｓにおける設置部材２８の対向面壁３１側に偏倚した第１の移動領域を遊技盤１７の盤面に沿って移動するよう構成される。実施例では、設置空間Ｓの前後方向の中間より後側を第１の可動体３４が移動するようになっている。
【００２４】
(第１支持部材について)
図６、図９〜図１１に示す如く、前記第１支持部材３３は、前記設置部材２８の対向面壁３１(箱状本体２９の下左隅部)に取付けられる第１取付ベース体３９と、該第１取付ベース体３９の前面に取付けられる第１カバー体４０とから構成される。第１取付ベース体３９は、平板状に形成された後板３９ａの外周縁部に前方に向けて側壁３９ｂを突設した前方に開口する箱状に形成される。また第１カバー体４０は、平板状に形成された前板４０ａの外周縁部に、後方に向けて側壁４０ｂが突設されている。そして、第１取付ベース体３９と第１カバー体４０とを、後板３９ａおよび前板４０ａを対向して両側壁３９ｂ,４０ｂの端部を当接するように組付けることで、第１取付ベース体３９と第１カバー体４０との間に第１収容空間Ｓ１が画成されるようになっている(図６,図１１参照)。なお、第１取付ベース体３９および第１カバー体４０は、何れも合成樹脂材から形成されている。
【００２５】
(第１取付ベース体について)
前記第１取付ベース体３９における後板３９ａの裏面には、図８〜図１０に示すように、平板状の第１補強板金４１が複数のネジを介してネジ止め固定されると共に、該第１補強板金４１に配設されて前方に突出する第１支持軸４１ａが、後板３９ａに形成した中心通孔３９ｃに挿通されて前記第１収容空間Ｓ１に臨んでいる。そして、前記第１の可動体３４の第１可動基部３７に形成されて前後に貫通する軸孔５３ａに第１支持軸４１ａを挿通することで、該第１の可動体３４が第１取付ベース体３９(第１支持部材３３)に対して前後方向に沿う第１支持軸４１ａ(回転軸)を中心として左右方向に揺動可能に支持される。なお、前記中心通孔３９ｃは、第１支持軸４１ａの直径より大きな内径に設定されて、前記第１の可動体３４の第１可動基部３７に形成された後述する支持突部３７ｃの挿入を許容するようになっている。また、第１取付べース体３９の側壁３９ｂは、図９に示すように、後板３９ａの上側において所定長さに亘って切欠かれており、この切欠部３９ｄにおいて前記第１支持部材３３の第１収容空間Ｓ１は外部に開口し、この切欠部３９ｄから第１の可動体３４の後述する固定部５５が外部に延出するよう構成される。なお、第１支持部材３３には、切欠部３９ｄの左端に対応する位置に、第１の可動体３４に配設した後述する磁石５８が磁力吸着することで該第１の可動体３４を待機位置に保持するべく機能する金属体４２が配設されている。
【００２６】
前記第１取付べース体３９における後板３９ａの前面には、図９に示す如く、前記中心通孔３９ｃを中心とする所定直径で環状の補強リブ４３が突設されると共に、該補強リブ４３には後受部４４が周方向に等間隔で設けられている。実施例では、周方向に９０°の角度間隔で４つの後受部４４が設けられる。各後受部４４には、図１２(ａ)に示す如く、前側に開口する凹部４４ａが形成されて、該凹部４４ａに前側から後球体(転動体)４５が転動自在に遊嵌されて、該後球体４５の後受部４４から前方に突出する部分が前記第１可動基部３７の裏面に転動自在に接触するよう構成される。なお、後球体４５としては、該後球体４５が接触する第１可動基部３７より硬い材質のものが好適に使用され、実施例ではステンレス製の球体が用いられる。また、前記第１取付ベース体３９における後板３９ａには、前記補強リブ４３と中心通孔３９ｃとの間に、周方向に離間する一対の片部からなるバネ用係止部４６が前方に向けて突設され、該バネ用係止部４６に後述する第１捻りコイルバネ５７の一方の係合片が係止するよう構成される。
【００２７】
前記第１取付ベース体３９の下部には、下側の側壁３９ｂの前端から下方に向けて後板３９ａと平行に延在するモータ設置部４７が形成される。モータ設置部４７の前面に、前記第１の可動体３４を揺動させる前記第１モータ３５が、出力軸を後方に向けて前側から配設され、該モータ３５におけるモータ設置部４７の裏側に延出する出力軸に、板状の第１駆動歯車４８が配設される。なお、モータ設置部４７の形成位置に対応する下側の側壁３９ｂの一部が切欠かれ、この切欠き部分から前記第１駆動歯車４８の一部が前記第１収容空間Ｓ１に臨むよう構成される(図１１参照)。図８〜図１１において符号４９は、モータ設置部４７の裏側に配設されて、前記第１駆動歯車４８を回転自在に支持する支持板を示す。
【００２８】
前記第１取付ベース体３９の下端部における前記第１モータ３５の配設位置に隣接する部位には、前記第１の可動体３４の揺動位置を検出する第１位置検出センサ５０が取付けられている。この第１位置検出センサ５０として、実施例では受光素子と発光素子とを備えた光学式センサを採用しているが、これに限らず、磁気センサやマイクロスイッチ、その他従来公知のセンサを第１の可動体３４側に設けられる被検出部(後述)に応じて採用することができる。
【００２９】
前記第１取付ベース体３９の側壁３９ｂには、前記第１モータ３５の配設位置を挟んで周方向に離間する２箇所に、内側(第１収容空間Ｓ１側)に突出するストッパ５１ａ,５１ｂが設けられている。これらストッパ５１ａ,５１ｂは、第１支持部材３３に対して第１の可動体３４が揺動された際に、第１可動基部３７に設けた後述する歯車部３７ｄの周方向の端部が各ストッパ５１ａ,５１ｂに当接することで第１の可動体３４の揺動範囲を制限するようになっている。なお、以下の説明では、右側に位置するストッパ５１ａを第１ストッパと指称し、左側に位置するストッパ５１ｂを第２ストッパと指称する。
【００３０】
前記第１取付ベース体３９には、図９、図１３、図１４に示す如く、前記第１モータ３５および第１位置検出センサ５０の配設位置に近接してベース側配線止め部５２が設けられる。そして、前記第１位置検出センサ５０から導出する配線、第１モータ３５から導出する配線、および前記第１の可動体３４の後述する第１ＬＥＤ基板６５から導出する第１配線Ｈ１が、纏められた状態でベース側配線止め部５２に結束具５２ａを介して係止されて、これらの配線Ｈ１が第１支持部材３３の前方へ大きく変位するのを防止するよう構成されている(図１４参照)。
【００３１】
(第１カバー体について)
前記第１カバー体４０の前板４０ａは、図１１に示す如く、前記第１取付ベース体３９におけるモータ設置部４７の上側の開口部分を覆い得る寸法および形状に形成されており、第１取付ベース体３９の前側に第１カバー体４０をネジ止め固定した状態で、モータ設置部４７に配設した第１モータ３５が第１カバー体４０より前側に延出するよう構成される。また、第１カバー体４０の側壁４０ｂは、前記第１取付ベース体３９の側壁３９ｂを切欠くことで形成した前記切欠部３９ｄに対応する部位が切欠かれており、前記第１の可動体３４の固定部５５が外方に延出するのを許容すると共に、該固定部５５(第１の可動体３４)の左右方向への移動を許容し得る寸法の隙間を確保し得るようになっている。
【００３２】
前記第１カバー体４０における前板４０ａの裏面(第１収容空間Ｓ１側の面)には、図１０および図１１に示す如く、前記第１の可動体３４の軸孔５３ａに挿通されて前側に突出する前記第１支持軸４１ａの先端を支持する左第１軸受部４０ｃが形成してある。また前板４０ａの裏面には、左第１軸受部４０ｃを囲繞する筒状で後方に開口する左第２軸受部４０ｄが所要長さで突設され、該左第２軸受部４０ｄには、第１の可動体３４の軸孔５３ａが形成される後述する軸支部５３の前端が回動自在に挿入されるようになっている。
【００３３】
前記第１カバー体４０における前板４０ａの裏面に、図１０に示す如く、前記左第１軸受部４０ｃを中心として所要直径で環状の第１の突条部４０ｅが突設され、該突条部４０ｅに、図１２(ｂ)に示す如く、前記第１の可動体３４における第１可動基部３７に設けた後述する前球体６１が転動自在に接触するよう構成される。実施例では、第１の突条部４０ｅは、前記第１取付ベース体３９の補強リブ４３と同一直径で形成されて、第１の突条部４０ｅは、第１可動基部３７を挟んで補強リブ４３上に設けた前記各後受部４４に遊嵌されている後球体４５の前方に臨むようになっている。また、第１カバー体４０の前板４０ａには、図１０に示す如く、前記第１の突条部４０ｅと左第２軸受部４０ｄとの間に、前後方向に貫通する配線口４０ｆが周方向に所要長さで形成されており、該配線口４０ｆを介して後述する第１配線Ｈ１が第１支持部材３３の外部に引き出されるようになっている(図１４参照)。
【００３４】
(第１の可動体について)
図９または図１０に示すように、前記第１の可動体３４は、前記第１支持部材３３に対して第１取付ベース体３９の後板３９ａおよび第１カバー体４０の前板４０ａとの対向方向と交差する方向に回動自在に枢支される前記第１可動基部３７と、該第１可動基部３７に第１支持部材３３の外部で取付けられた前記第１装飾体部３６とから構成される。そして、前記第１支持部材３３に配設された前記第１モータ３５を正逆方向に駆動することで、第１の可動体３４は前記第１支持軸４１ａを中心として揺動するよう構成されている。なお、第１の可動体３４における第１装飾体部３６は後述する第１ＬＥＤ基板６５を備え、該第１ＬＥＤ基板６５に配設したＬＥＤ７２,８１の発光により発光演出を行ない得るよう構成されており、第１可動演出装置Ｍ１は、発光により演出を行なう演出装置としても機能する。
【００３５】
(第１可動基部について)
前記第１可動基部３７は、図９〜図１３に示すように、略円盤状に形成された本体部３７ａにおける外周縁部に、前方および後方に向けて突出する側壁３７ｂが設けられている。本体部３７ａの略中央には、壁を凹ませることで後方に向けて突出する支持突部３７ｃが設けられると共に、該支持突部３７ｃの中心から前方に向けて筒状の軸支部５３が突設され、該軸支部５３に穿設された前後に貫通する軸孔５３ａに、前記第１支持軸４１ａが回動自在に挿通される。すなわち、第１可動基部３７は、軸支部５３の軸孔５３ａに挿通された第１支持軸４１ａを中心として回動可能に第１支持部材３３に支持される。また、図１１に示す如く、本体部３７ａの支持突部３７ｃが、第１取付ベース体３９の前記中心通孔３９ｃに回動自在に挿入されると共に、軸支部５３の前端が、第１カバー体４０の左第２軸受部４０ｄに回動自在に挿入されることで、第１支持部材３３に対して第１可動基部３７を安定して回動自在に支持するよう構成される。
【００３６】
前記軸支部５３は、支持突部３７ｃより小径に設定されて、支持突部３７ｃの前側に画成される凹部の内側と軸支部５３との間には略筒状の溝部５４が形成されるようになっている。また軸支部５３は、前記側壁３７ｂより前方に突出する寸法に設定される。そして、第１取付べース体３９に第１カバー体４０を組付けた状態で、図１１に示す如く、軸支部５３の前端が前記左第２軸受部４０ｄに挿入されると共に、該左第２軸受部４０ｄの後端が、前記溝部５４内に臨むよう構成される。
【００３７】
前記第１可動基部３７の外周縁には、第１の可動体３４の待機位置において、前記第１支持軸４１ａの上方に臨む位置に、径方向に延出する固定部５５が設けられ、該固定部５５が第１支持部材３３の前記切欠部３９ｄから外方に延出している(図８参照)。前記第１可動基部３７の本体部３７ａには、図９に示す如く、軸孔５３ａを挟んで固定部５５とは略反対側(待機位置において下側)に、径方向外方に延出する歯車部３７ｄが所要中心角で設けられている。そして、歯車部３７ｄは、第１可動基部３７を第１支持部材３３に配設した状態で、前記第１ストッパ５１ａと第２ストッパ５１ｂとの間に位置すると共に、前記第１駆動歯車４８に噛合している(図１３参照)。すなわち、前記第１モータ３５を駆動して第１駆動歯車４８を正転および逆転方向に回転することで、第１可動基部３７(第１の可動体３４)は、前記第１支持軸４１ａを中心として左右方向に揺動する。実施例では、歯車部３７ｄを備えた第１可動基部３７が、板状の可動ギヤとして機能する。また、第１の可動体３４の前記待機位置において歯車部３７ｄにおける周方向の一端が第１ストッパ５１ａに当接することで第１の可動体３４の揺動が規制されており、該待機位置から第１の可動体３４が右方向に傾倒するよう揺動して歯車部３７ｄにおける周方向の他端が第２ストッパ５１ｂに当接することで、第１の可動体３４の揺動が規制されるようになっている。なお、以下の説明では、歯車部３７ｄが第２ストッパ５１ｂに当接して第１の可動体３４の揺動が規制される位置を作動位置(図５,図１５(ｂ)参照)と指称する。すなわち、第１の可動体３４は待機位置と作動位置との間で揺動される。
【００３８】
前記第１可動基部３７における本体部３７ａには、図１３に示す如く、前記軸支部５３を囲う溝部５４に連通すると共に前後方向に貫通する扇形の通孔３７ｅが形成されており、該通孔３７ｅ内に、前記第１取付ベース体３９に設けた前記バネ用係止部４６が臨んでいる。また、本体部３７ａの前面には、溝部５４および通孔３７ｅの内周縁から前方に突出するように画壁部５６が突設されると共に、該画壁部５６には、通孔３７ｅの形成位置から周方向に離間する所要位置に、溝部５４に連通するバネ用係止部５６ａが凹設されている。そして、コイル部に軸支部５３が挿通されるように配設した第１捻りコイルバネ５７の一方の係合片が、第１取付ベース体３９のバネ用係止部４６に係止されると共に、該第１捻りコイルバネ５７の他方の係合片が、画壁部５６のバネ用係止部５６ａに係止されており、第１の可動体３４は、第１捻りコイルバネ５７によって常には待機位置に向けて付勢されるようになっている。また、第１可動基部３７には、前記固定部５５の左端部に磁石５８が配設され、第１の可動体３４の待機位置において、該磁石５８が第１取付ベース体３９に配設した前記金属体４２を磁力吸着するよう構成してある。
【００３９】
なお、前記第１取付ベース体３９に第１カバー体４０を組付けた状態で、図１１に示す如く、前記左第２軸受部４０ｄの後端が画壁部５６の内側において溝部５４内に臨み、該左第２軸受部４０ｄで第１捻りコイルバネ５７の前方への移動を規制し得るようになっている。
【００４０】
前記第１可動基部３７の本体部３７ａにおける裏面(他方の面)に、前記第１取付ベース体３９に設けた前記補強リブ４３と対向する位置に環状の第２の突条部５９が突設され、該突条部５９に、前記後受部４４に遊嵌されている後球体４５が転動自在に接触するよう構成される(図１２(ａ)参照)。また、本体部３７ａにおける前面(一方の面)には、図９に示す如く、外周縁部近傍に、前側に突出する前受部６０が周方向に等間隔で複数設けられている。実施例では、前記軸孔５３ａを中心として前記後球体４５が位置する補強リブ４３に前後で整合する仮想円の周上において周方向に９０°の角度間隔で４つの前受部６０が設けられる。各前受部６０には、前側に開口する凹部６０ａが設けられ、各凹部６０ａに前側から前球体(転動体)６１が転動自在に遊嵌される。そして、前球体６１の前受部６０から前方に突出する部分が、図１２(ｂ)に示す如く、前記第１カバー体４０の前記第１の突条部４０ｅに転動自在に接触するよう構成される。すなわち、第１可動基部３７の本体部３７ａは、前後両側で夫々複数の球体４５,６１により回動自在に支持されて、前記第１支持軸４１ａを中心に第１可動基部３７が揺動する際には、後球体４５および前球体６１に接触した状態で安定して揺動するよう構成されている。なお、前球体６１としては、該前球体６１が接触する第１カバー体４０より硬い材質のものが好適に使用され、実施例ではステンレス製の球体が用いられる。
【００４１】
前記第１の可動体３４の待機位置において第１可動基部３７の裏面に接触する各後球体４５は、図１３に示す如く、該第１可動基部３７の前面に配設されて周方向(第１の可動体３４の移動方向)に隣り合う前球体６１,６１の中間に臨むように設定される。すなわち、後球体４５および前球体６１は、夫々４つ球体が周方向に９０°の角度間隔で配置されているから、待機位置における正面視において、前球体６１と周方向に隣り合う後球体４５とは４５°の角度間隔で臨むようになっている。
【００４２】
前記第１可動基部３７の前記歯車部３７ｄには、径方向外方に延出する前記被検出部としての位置検出片６２が形成されている。位置検出片６２は、前記第１位置検出センサ５０の発光素子と受光素子との間に臨み得る位置に設けられており、前記第１可動基部３７の揺動に伴って該発光素子と受光素子との間を位置検出片６２が移動し得るようになっている。そして、位置検出片６２を第１位置検出センサ５０で検出した際に、前記待機位置に第１の可動体３４が位置(図１３参照)するよう設定されている。実施例では、第１位置検出センサ５０が位置検出片６２を検出した位置(待機位置)を基準として、第１の可動体３４を右方に所定角度移動するように、図示しない制御手段で第１モータ３５を駆動制御することで、該第１の可動体３４を作動位置に位置させるよう構成してある。なお、歯車部３７ｄに２つの位置検出片を周方向に離間して形成し、第１位置検出センサ５０で一方の位置検出片を検出する位置を待機位置、他方の位置検出片を検出する位置を作動位置として、第１位置検出センサ５０による各位置検出片の検出に基づいて制御手段が第１モータ３５を駆動制御する構成としてもよい。
【００４３】
前記第１可動基部３７における本体部３７ａの前面には、図１３、図１４、図１５に示す如く、前記固定部５５の形成位置から軸孔側に向けて延在する一対の案内壁６３,６３が、所定間隔離間して平行に突設されている。両案内壁６３,６３の間の本体部３７ａは後側に向けて凹設されると共に、両案内壁６３,６３の径方向外側は開口し、前記第１装飾体部３６に設けた後述する第１ＬＥＤ基板６５から導出する第１配線Ｈ１を第１収容空間Ｓ１内において引き回す経路を、両案内壁６３,６３間に確保するよう構成される。また、前記第１カバー体４０に形成された前記配線口４０ｆは、両案内壁６３,６３における画壁部５６側の端部前側に位置し、両案内壁６３,６３の間を引き回された第１配線Ｈ１が配線口４０ｆから外部に引き出されるようになっている。
【００４４】
(第１装飾体部について)
前記第１装飾体部３６は、図９、図１０に示す如く、第１光透過部材６４(第１の光透過部材)と、該第１光透過部材６４の裏側に配設された第１ＬＥＤ基板(電気部品)６５と、第１光透過部材６４および第１ＬＥＤ基板６５の間に配設された第２光透過部材(第２の光透過部材)６６とから基本的に構成されて、第１光透過部材６４の長手方向の一端が前記第１可動基部３７の固定部５５にネジ止め固定される。
【００４５】
前記第１光透過部材６４は、図９、図１０に示す如く、光透過性を有する合成樹脂材により刀の刀身を模した形状に形成された装飾本体６７と、該装飾本体６７の長手方向の一端から外方に延出する被固定部６８とを備え、該被固定部６８が、前記第１可動基部３７の固定部５５にネジ止め固定されている。装飾本体６７は、図１６に示す如く、板状の前面板(別の光透過部)６９と、前面板６９の外周縁から該前面板６９と交差するよう後方に突出する側面板(第１光透過部)７０とから後方に開口する箱状に形成されて、該装飾本体６７(第１光透過部材６４)の内部に前記第２光透過部材６６および第１ＬＥＤ基板６５が収容された状態で配設される。なお、第２光透過部材６６および第１ＬＥＤ基板６５は、何れも装飾本体６７と略相似形に形成されている。また、装飾本体６７における前面板６９には、遮光処理により光を透過不能な遮光部で、パチンコ機１０のモチーフに応じた模様や文字が形成されると共に、その他の部分には光透過度が異なる光透過部が形成されており、後述するＬＥＤ７２,８１の光によって光透過部を裏側から照らすことで、遮光部で形成された模様や文字の周囲が照明されるようになっている。
【００４６】
前記装飾本体６７における側面板７０は、前面板６９における遊技盤１７の中央側を向く端縁(刀身における刃先側)から後方に延出する部分は、図１６に示す如く、後方に向かうにつれて前面板６９から離間する傾斜面７０ａと、該傾斜面７０ａの延出端から後方に向けて遊技盤１７の盤面に直交するように延出する垂直面７０ｂとから構成されている。
【００４７】
（第２光透過部材について)
図９、図１０、図１６に示すように、前記第２光透過部材６６は、前記装飾本体６７における前面板６９がなす輪郭形状に略合致する形状に形成された板状の面板部６６ａと、該面板部６６ａの外周縁に沿って設けられ、当該面板部６６ａから後方に突出する突出壁６６ｂとから構成され、全体が光を透過し得る透明に形成される。すなわち、装飾本体６７の後方開口を介して該装飾本体６７の内側に第２光透過部材６６を収容した際に、面板部６６ａの前面が前記前面板６９の裏側に対向当接すると共に、突出壁６６ｂが前記側面板７０に対向するよう配設される。そして、前記第１ＬＥＤ基板６５は、前面を第２光透過部材６６における突出壁６６ｂの後端面に当接した状態で位置決め固定されて、面板部６６ａの裏面から基板前面が所定間隔離間する位置に位置決めされるようになっている。なお、装飾本体６７、第２光透過部材６６および第１ＬＥＤ基板６５は、位置決め突起と孔とを嵌合する等の位置決め手段により相互に正確に位置決めされると共に、装飾本体６７に第１ＬＥＤ基板６５をネジ止め固定することで、装飾本体６７と第１ＬＥＤ基板６５とで第２光透過部材６６が挟持固定される。
【００４８】
(第２光透過部材の光拡散部について)
次に、前記第２光透過部材６６に設けられる光拡散部の具体的構成について説明する。図１６、図１７、図１８に示すように、該第２光透過部材６６には、前記装飾本体６７における傾斜面７０ａが設けられる側面板７０に対応する端縁(図４の正面視において遊技盤１７の中央側を向く右端縁であって、以後の説明においては発光縁と称する場合もある)に設けられた突出壁(第２光透過部)６６ｂにおいて、面板部６６ａから立上がる内側の第１面７１ａ側に、前記第１ＬＥＤ基板６５に対向する裏面側および内側(図１６では右側)に開口するよう形成されて該第１ＬＥＤ基板６５の第１ＬＥＤ７２が嵌り込む収容凹部７３と、該突出壁６６ｂにおける装飾本体６７の側面板７０(具体的には傾斜面７０ａ)に対向する外側の第２面７１ｂおよび第１面７１ａとの間で前記収容凹部７３と対応する位置に形成され、第２面７１ｂに向けて拡開するＶ字状の第１光拡散部７４と、前記収容凹部７３に連続するように第１面７１ａ側に形成され、第２面７１ｂから離間する外方へ突出する三角形状の第２光拡散部７５と、前記第２光拡散部７５に対応する位置に形成され、前記第１面７１ａから第２面７１ｂに向かうにつれて第１光拡散部７４側に傾斜する傾斜面(第３反射面７６ａ)を備える第３光拡散部７６と、前記第１光拡散部７４と第２面７１ｂとの間で前記第３光拡散部７６と対応する位置に形成され、第１面７１ａに向けて拡開するＶ字状の第４光拡散部７７とを備えている。そして、第２光透過部材６６には、上記４つの光拡散部７４,７５,７６,７７(但し、第２光拡散部７５については複数が１組となっている)からなる光拡散部組が、前記発光縁に沿って複数連続して設けられる。
【００４９】
前記収容凹部７３は、図１７に示すように、発光縁の延在方向に長手が位置する矩形状を呈し、該収容凹部７３に収容された第１ＬＥＤ７２の発光面と対向する第２面７１ｂ側の面は、該第１ＬＥＤ７２側に凸となる弧状に形成されて、該弧状面７３ａのレンズ作用によって光を前記第１光拡散部７４へ集光し得るよう構成される。
【００５０】
(第１光拡散部について)
前記第１光拡散部７４は、図１６または図１７に示すように、前記収容凹部７３の側方位置に対応して、前記突出壁６６ｂを前面側へ凹設することで形成された凹部における収容凹部７３に対向する２つの傾斜面から構成される。ここで、前記第１光拡散部７４を構成する傾斜面を第１反射面７４ａと指称する。そして、両第１反射面７４ａ,７４ａは、収容凹部７３における長手方向の中央を通る基準線Ｌ１を基準として第２面７１ｂに向けてＶ字状となるよう接続し、前記収容凹部７３に収容された第１ＬＥＤ７２からの光が第１光拡散部７４の各第１反射面７４ａ,７４ａに照射されるようになっている。すなわち、前記収容凹部７３に収容された第１ＬＥＤ７２から側方へ向けて照射された光は、該収容凹部７３の弧状面７３ａを透過して前記第１光拡散部７４の第１反射面７４ａに照射される。そして、前記第１反射面７４ａに照射される光の一部が前記上方または下方(第２光透過部材６６の長手方向)に向けて反射されるようになっている。また、前記第１反射面７４ａで反射されることなく側方に透過する光は、該第１反射面７４ａに対する光の入射角に応じた屈折角で屈折されて前記第４光拡散部７７に向けて照射される。
【００５１】
なお、実施例における基準線Ｌ１と各第１反射面７４ａとが交差する第２面７１ｂ側の角度θ１は、略４５°より小さく設定してある。すなわち、基準線Ｌ１と各第１反射面７４ａとが交差する第１面７１ａ側の角度は略１３５°より大きく設定されて、第１ＬＥＤ７２から照射された光の第１反射面７４ａに対する反射位置が、基準線Ｌ１から離間するにつれて第２面７１ｂ側へ偏倚するように反射するよう構成される。
【００５２】
(第２光拡散部について)
前記第２光拡散部７５は、図１７、図１８に示すように、前記収容凹部７３の上下両側において、該収容凹部７３から離間する方向に連続して複数形成されて、鋸刃状を呈するよう構成されている。第２光拡散部７５は、対応する光拡散部組を構成する収容凹部７３を向く面が第１面７１ａ側から第２面７１ｂ側に向かうにつれて該収容凹部７３から離間するように傾斜しており、該傾斜面を、第２反射面７５ａと指称する。ここで、実施例における第２反射面７５ａと、第２光拡散部７５の第１面７１ａ側の頂部を通り、前記基準線Ｌ１と平行な基準線Ｌ２とが交差する角度θ２は、略４５°に設定されている。なお、実施例では、収容凹部７３に最も近接する第２光拡散部７５と該収容凹部７３との間に、光拡散部組を構成する第２光拡散部群の基端となる傾斜面が形成されており、該傾斜面も第２光拡散部７５の第２反射面７５ａと同一の機能を有することから、該基端部側の傾斜面については基端第２反射面７５ａと指称することとする。
【００５３】
図１７に示すように、前記各第２光拡散部７５は、各第２光拡散部７５における第２反射面７５ａの第２面７１ｂの側の先端部が前記収容凹部７３から離間するにつれて第２面７１ｂ側へ変位するよう形成されている。すなわち、隣接する第２光拡散部７５の第２反射面７５ａは、第２面７１ｂ側の部位が、前記第１光拡散部７４の第１反射面７４ａと対向するよう構成されている。従って、前記第１反射面７４ａで反射した光は、第２光拡散部７５の第２反射面７５ａに照射され、該第２反射面７５ａにおいて側方(第２面７１ｂ側)へ反射されるようになっている。実施例では、第２光拡散部群の基端となる基端第２反射面７５ａの先端部が、最も第１面７１ａ側に位置している。
【００５４】
(第３光拡散部について)
前記第３光拡散部７６は、図１７、図１８に示すように、前記第１光拡散部７４の上下両側の第２面７１ｂ側に偏倚した位置で第２光拡散部７５の側方に対応する位置の夫々に設けられる。第３光拡散部７６は、前記突出壁６６ｂを前面側へ凹設することで形成され、該凹状の第３光拡散部７６は第１光拡散部７４側を向く傾斜面を備える。ここで、前記第３光拡散部７６を構成する傾斜面を第３反射面７６ａと指称する。また実施例では、第２光拡散部群の基端第２反射面７５ａおよび該基端第２反射面７５ａに接続する第２光拡散部７５の第２反射面７５ａの側方に第３反射面７６ａが位置している。
【００５５】
前記第３反射面７６ａと、該第３反射面７６ａにおける第１面７１ａ側の頂部を通り、前記基準線Ｌ１と平行な基準線Ｌ３とが交差する角度θ３は、略４５°に設定されている。すなわち、前記基端第２反射面７５ａおよび第２反射面７５ａで反射した光の一部は、第３反射面７６ａで第１光拡散部７４側および第４光拡散部７７側に向けて反射されるようになっている。また、前記第３反射面７６ａで反射されることなく側方に透過する光は、該第３反射面７６ａに対する光の入射角に応じた屈折角で屈折され、第３光拡散部７６を構成する他の面(実施例では左右方向または上下方向に平行な面)で乱反射して、拡散効果を高めるようにしている。
【００５６】
(第４光拡散部について)
前記第４光拡散部７７は、図１７、図１８に示す如く、前記第１光拡散部７４を形成する凹部における第２面７１ｂ側の面に形成されたものであって、前記基準線Ｌ１を基準として第１面７１ａに向けてＶ字に拡開するよう傾斜する一対の傾斜面を備える。また実施例では、各傾斜面に接続する別の第４光拡散部７７が形成され、実施例では第１光拡散部７４の側方に３つの第４光拡散部７７が形成されている。ここで、中央の第４光拡散部７７を構成する傾斜面および上下両側の別の第４光拡散部７７の各傾斜面を、何れも第４反射面７７ａと指称するものとする。
【００５７】
前記中央の第４光拡散部７７を構成する各第４反射面７７ａと、前記基準線Ｌ１とが交差する角度θ４および上下両側の別の第４光拡散部７７の各第４反射面７７ａと、該第４反射面７７ａにおける第２面７１ｂ側の端部を通り、前記基準線Ｌ１と平行な基準線Ｌ４とが交差する角度θ４は、何れも略４５°に設定されている。すなわち、第４光拡散部７７を構成する一対の第４反射面７７ａ,７７ａは、略９０°で交差するようになっている。また、中央の第４光拡散部７７における両第４反射面７７ａ,７７ａの交点(第２面７１ｂ側の頂部)は、上下の各第４光拡散部７７における両第４反射面７７ａ,７７ａの交点(第２面７１ｂ側の頂部)より第２面７１ｂ側に位置するよう設定されている。すなわち、前記第３光拡散部７６の第３反射面７６ａで反射した光の一部は、複数の第４反射面７７ａで第２面７１ｂ側に向けて反射されるようになっている。また、前記第４反射面７７ａで反射されることなく凹部内に透過する光は、該第４反射面７７ａに対する光の入射角に応じた屈折角で屈折され、他の第４反射面７７ａで乱反射して、拡散効果を高めるようにしている。
【００５８】
(後方傾斜面について)
前記突出壁６６ｂにおける第２面７１ｂには、図１６に示す如く、前記第４光拡散部７７の側方に対向する位置に、装飾本体６７における側面板７０に近接するよう側方に突出する突出部７８が形成されている。この突出部７８における前記装飾本体６７の前面板６９から離間する後面(第２面７１ｂの一部を構成する面)は、前記側面板７０から離間するにつれて前面板６９から離間する傾斜面とされている。ここで、突出部７８に形成された傾斜面を、後方傾斜面７８ａと指称するものとする。この後方傾斜面７８ａは、第２光透過部材６６の裏面から前面に向けて略４５°の角度で傾斜するよう設定され、前記第４光拡散部７７から側方に照射された光の一部は、該後方傾斜面７８ａで前記前面板６９(具体的には前面板６９と側面板７０との接続部)に向けて反射されるようになっている。
【００５９】
(前側光拡散部について)
前記第２光透過部材６６における面板部６６ａに、複数の前側光拡散部７９が形成されている。この前側光拡散部７９は、図１６または図１８に示す如く、面板部６６ａの裏面に形成された平坦面７９ａと、面板部６６ａの前面における平坦面７９ａの前方に対向する位置に形成されて後方へ円弧状に凹む第５光拡散部８０と、面板部６６ａの裏面において平坦面７９ａを中心として同心円状に形成された複数の第６光拡散部８２とを備える。平坦面７９ａは、前記第１ＬＥＤ基板６５に配設した第２ＬＥＤ８１の発光面と対向し、第２ＬＥＤ８１から平坦面７９ａに照射されて該平坦面７９ａを透過した光が、第５光拡散部８０の円弧面に照射されるようになっている。なお、第５光拡散部８０を構成する円弧面を、第５反射面８０ａと指称することとする。
【００６０】
ここで、実施例における第５光拡散部８０の第５反射面８０ａは、当該第５光拡散部８０を構成する最も外側の第６光拡散部８２に向けて光を反射可能な角度に設定される。従って、第５光拡散部８０で反射した光は、複数の第６光拡散部８２に照射されるようになっている。
【００６１】
前記各第６光拡散部８２は、図１６に示す如く、断面形状が前方に向けて凹む略三角形状の溝から構成される。前記前側光拡散部７９では、各第６光拡散部８２における各前端部が前記平坦面７９ａから離間するにつれて前側へ変位するよう形成されている。また第６光拡散部８２は、平坦面７９ａを向く面が後側から前側に向かうにつれて平坦面７９ａから離間するように傾斜しており、該傾斜面を、第６反射面８２ａと指称する。ここで、実施例における第６反射面８２ａと、該第６反射面８２ａの前端部を通る基準線Ｌ６とが交差する角度θ６は、略４５°に設定されている。すなわち、各第６光拡散部８２の各第６反射面８２ａは、前記第５光拡散部８０を向くよう構成されている。従って、前記第５光拡散部８０の第５反射面８０ａで反射した光は、第６光拡散部８２の第６反射面８２ａに照射され、該第６反射面８２ａにおいて前方へ反射されるようになっている。
【００６２】
(第１ＬＥＤ基板について)
前記第１ＬＥＤ基板６５には、前記第２光透過部材６６に形成された各収容凹部７３に対応する位置に、側方へ向けて光を照射する姿勢で第１ＬＥＤ(発光体)７２が設けられている。また第１ＬＥＤ基板６５には、第２光透過部材６６の面板部６６ａに形成された各前側光拡散部７９における平坦面７９ａに対応する位置に、前方へ向けて光を照射する姿勢で第２ＬＥＤ８１が設けられている。すなわち、第１ＬＥＤ７２および第２ＬＥＤ８１を発光することで、前記１の可動体３４における第１装飾体部３６は、前記光拡散部を介して前方および側方(遊技盤１７の中央を向く側方)が明輝するよう構成される。なお、実施例では、第１ＬＥＤ基板６５における第２光透過部材６６の光拡散部が形成されていない位置にもＬＥＤが配設されており、光拡散部を介することなく第１装飾体部３６の前側(具体的には装飾本体６７の前面板６９)を異なる態様で明輝し得るようになっている。前記各ＬＥＤ６５,８１は、発光色が単色のものであってもよく、また複数色を発光し得るものであってもよい。
【００６３】
前記第１ＬＥＤ基板６５の前面には、前記固定部５５側の端部(下端部)に、該第１ＬＥＤ基板６５に沿って下方側からコネクタを接続可能なコネクタ受け部６５ａが設けられている。このコネクタ受け部６５ａには、第１配線Ｈ１の一端がコネクタ接続され、該第１配線Ｈ１は、第１光透過部材６４と固定部５５との隙間から第１可動基部３７の本体部３７ａ前側に引き込まれるようになっている。そして、前記第１支持部材３３の内部から、前記第１カバー体４０の前板４０ａに形成した配線口４０ｆを介して第１配線Ｈ１が外部に引き出される。また、第１支持部材３３の外部に引き出された第１配線Ｈ１は、前記第１モータ３５および第１位置検出センサ５０から導出された配線と纏められた後、前記設置部材２８の裏側に設けた設置部に配設された図示しない中継基板(基板)に接続される。
【００６４】
（第１配線について)
前記第１配線Ｈ１は、前記第１光透過部材６４と固定部５５との隙間から第１可動基部３７の本体部３７ａと第１カバー体４０の前板４０ａとの間の前記案内壁６３,６３間に引き込まれた後、図１４、図１５に示す如く、前記左第２軸受部４０ｄの近傍において前記配線口４０ｆから外部に引き出され、第１カバー体４０(前板４０ａ)の前側で第１の可動体３４の揺動軸線(正面視において左第２軸受部４０ｄ)を囲むように環状に巻かれるよう構成されており、該環状に巻かれた部分が第１移動許容部(移動許容部)８３として機能するようになっている。また、第１配線Ｈ１における第１移動許容部８３より基板接続部側の部位が、前記第１カバー体４０における前板４０ａの前面に形成されたカバー側配線止め部(保持部)８４に結束具(保持手段)８４ａを介して結束されて移動しないように保持されている。なお、カバー側配線止め部８４による第１配線Ｈ１の保持位置は、前記第１の可動体３４の待機位置において前記配線口４０ｆを挟んで第１装飾体部３６とは反対側(第１配線Ｈ１の本体部３７ａおよび前板４０ａとの間への引き込み部とは反対側)に設定されて、第１移動許容部８３が正面視において環状を保持し得るようになっている。なお、図１５では、第１支持部材３３の第１カバー体４０を省略して示している。
【００６５】
前記環状の第１移動許容部８３は、前記第１の可動体３４の待機位置において、該第１配線Ｈ１が断線しない所要の負荷が加わった初期状態を保持し、図１５(ｂ)に示す如く、該第１の可動体３４が待機位置から作動位置へ揺動する際に径が大きくなることで、前記負荷が低減する許容状態へと状態変化するよう構成される。すなわち、第１の可動体３４は、待機位置から右方へ移動して作動位置に至るように移動することから、第１移動許容部８３は、配線口４０ｆから引き出された第１配線Ｈ１が、第１の可動体３４の揺動軸線(左第２軸受部４０ｄ)の回りを右側−下側−左側−上側の順で通る右回りに巻かれる。これにより、第１の可動体３４が待機位置から作動位置へ揺動する際には、第１移動許容部８３におけるカバー側配線止め部８４に固定される側に対して前記第１ＬＥＤ基板６５の接続側が右方に移動することで、該第１移動許容部８３は径が大きくなる方向に変化する。なお、第１移動許容部８３の初期状態において、該移動許容部８３の内径は前記左第２軸受部４０ｄの外径より充分に大きく設定される。
【００６６】
前記第１移動許容部８３は、第１配線Ｈ１を環状に巻いた際の交差部において、第１ＬＥＤ基板６５側に引き回される第１部位８３ａが、前記カバー側配線止め部８４に保持される側に引き回される第２部位８３ｂに対して第１可動基部３７の本体部３７ａ側である第１の可動体３４の揺動領域側で重なっている。すなわち、実施例では第１部位８３ａに対して第２部位８３ｂが前側で重なるよう構成され、第１の可動体３４の揺動に際して第１移動許容部８３の状態が変化する際に、第１部位８３ａが前側へ変位するのを第２部位８３ｂで抑制するようになっている。
【００６７】
(第２可動演出装置について)
図４〜図８、図１９および図２０に示すように、前記第２可動演出装置Ｍ２は、基本的な構成は前記第１可動演出装置Ｍ１と同じであって、該第２可動演出装置Ｍ２は、前記設置部材２８に取付けられる第２の本体をなす第２支持部材８５と、該第２支持部材８５に支持されて遊技盤１７の盤面に沿って所要の動作を行ない得る第２の可動体８６と、第２支持部材８５の後側に配設されて第２の可動体８６を駆動する第２の駆動手段としての第２モータ８７とを備えている。第２可動演出装置Ｍ２および第１可動演出装置Ｍ１とでは、基本的な構成において、支持部材３３,８５に対するモータ３５,８７の配設位置を前後に異ならせて、両可動演出装置Ｍ１,Ｍ２を設置部材２８に配設した際の前後寸法の大型化を抑制するようになっている。
【００６８】
前記第２の可動体８６は、図１９、図２０に示すように、槍の穂先部を模した長尺な形状に形成された第２装飾体部８８と、該第２装飾体部８８の長手方向の一端に設けられて前記第２支持部材８５に揺動可能に支持される第２可動基部(可動基部)８９とから構成される。第２支持部材８５は、設置部材２８の右対向面壁３１ｄと下対向面壁３１ｂとが交差する隅部(箱状本体２９の下右隅部)に突設された複数の第２取付突部９０の前端にネジ止め固定されて、該第２支持部材８５に支持されている第２の可動体８６は、通常時には設置部材２８の右開口端に沿って上下方向に延在する姿勢(図４参照)となる待機位置に保持されている。前記第２取付突部９０の前端位置は、前記第１取付突部３８の前端位置より前方に位置し、該第２取付突部９０の前端に第２支持部材８５を固定した状態で、図６に示す如く、該第２支持部材８５の裏面と対向面壁３１との間に、第２モータ８７を収容可能な空間を確保し得るよう構成される。
【００６９】
また、第２の可動体８６は、後述する作動位置において前記窓口２３ａの対応する右端縁部から図柄表示装置１３における表示部１３ａの略中央まで延出する大型のものであり(図２参照)、該第２の可動体８６は、作動位置において前記第１の可動体３４と相互に干渉しないように、当該第２の可動体８６が移動する第２の移動領域が、前記第１の可動体３４が移動する第１の移動領域の前側に離間するよう設定される。すなわち、前記第２取付突部９０の前端に第２支持部材８５を固定した状態で、第２の可動体８６は、前記設置空間Ｓにおいて第１の可動体３４が移動する第１の移動領域に対して遊技盤１７側に偏倚した第２の移動領域を遊技盤１７の盤面に沿って移動するよう構成される。実施例では、設置空間Ｓの前後方向の中間より前側を第２の可動体８６が移動するようになっている。なお、実施例では、図１に示すように、前記第２の可動体８６が待機位置にある状態において、該第２の可動体８６の前側に前記枠状装飾部材２３が位置するよう構成されており、該枠状装飾部材２３で第２の可動体８６の大部分(右側部)が覆われている。
【００７０】
(第２支持部材について)
図１９および図２０に示す如く、前記第２支持部材８５は、前記設置部材２８の対向面壁３１(箱状本体２９の下右隅部)に取付けられる第２取付ベース体９１と、該第２取付ベース体９１の前面に取付けられる第２カバー体９２とから構成される。第２取付ベース体９１の裏面に、前記第２の可動体８６を揺動させる前記第２モータ８７が、出力軸を第２支持部材８５の内部に臨ませるように裏側から配設される。第２取付ベース体９１は、平板状に形成された後板(第２対向板)９１ａの外周縁部に前方に向けて側壁９１ｂを突設した前方に開口する箱状に形成される。また第２カバー体９２は、平板状に形成された前板(第１対向板)９２ａの外周縁部に後方に向けて側壁９２ｂが突設されている。そして、第２取付ベース体９１と第２カバー体９２とを、後板９１ａおよび前板９２ａを対向して両側壁９１ｂ,９２ｂの端部を当接するように組付けることで、第２取付ベース体９１と第２カバー体９２との間に第２収容空間Ｓ２が画成されるようになっている(図６,図２１参照)。なお、第２取付ベース体９１および第２カバー体９２は、何れも合成樹脂材から形成されている。
【００７１】
(第２取付ベース体について)
前記第２取付ベース体９１における後板９１ａの裏面には、図８,図１９に示すように平板状の第２補強板金９３が複数のネジを介してネジ止め固定されると共に、該第２補強板金９３に配設されて前方に突出する第２支持軸９３ａが、後板９１ａに形成した中心通孔９１ｃに挿通されて前記第２収容空間Ｓ２に臨んでいる。そして、前記第２の可動体８６の第２可動基部８９に形成されて前後に貫通する軸孔１０７ａに第２支持軸９３ａを挿通することで、該第２の可動体８６が第２取付ベース体９１(第２支持部材８５)に対して前後方向に沿う第２支持軸９３ａ(回転軸)を中心として左右方向に揺動可能に支持される。なお、前記中心通孔９１ｃは、第２支持軸９３ａの直径より大きな内径に設定されて、前記第２の可動体８６の第２可動基部８９に形成された後述する支持突部８９ａの挿入を許容するようになっている。また、第２取付べース体９１の側壁９１ｂは、図１９および図２０に示すように、後板９１ａの上側において所定長さに亘って切欠かれており、この切欠部９１ｄにおいて前記第２支持部材８５の第２収容空間Ｓ２は外部に開口し、この切欠部９１ｄから第２の可動体８６における第２装飾体部８８が外部に延出するよう構成される。
【００７２】
前記第２取付べース体９１における後板９１ａの前面には、図１９に示す如く、前記中心通孔９１ｃを中心とする所定直径で円弧状の２つの補強リブ９４,９５が同心状に突設されている。外側に位置する外補強リブ９４および内側に位置する内補強リブ９５に、複数の後受部(第１の受部)９６,９７が設けられる。実施例では、外補強リブ９４に、３つの外後受部９６が周方向に９０°の角度間隔で設けられるのに対し、内補強リブ９５には、１つの内後受部９７が、外補強リブ９４において周方向に１８０°の角度間隔で隣り合う２つの外後受部９６,９６の間において、残る１つの外後受部９６と中心通孔９１ｃを挟んで対向する位置に設けられる。すなわち、外補強リブ９４および内補強リブ９５に設けられた合計４つの後受部９６,９６,９６,９７は、中心通孔９１ｃの中心から各後受部９６,９６,９６,９７を通る放射線が周方向に９０°の角度間隔となるように設けられる。
【００７３】
前記各後受部９６,９７には、前側に開口する凹部９６ａ,９７ａが形成されて、該凹部９６ａ,９７ａに前側から後球体(第２転動体)９８が転動自在に遊嵌されて、該後球体９８の後受部９６,９７から前方に突出する部分が前記第２可動基部８９の裏面(他方の面)に転動自在に接触するよう構成される(図２２(ａ)参照)。前記後球体９８としては、該後球体９８が接触する第２可動基部８９より硬い材質のものが好適に使用され、実施例ではステンレス製の球体が用いられる。なお、前記第２取付ベース体９１における後板９１ａには、前記外補強リブ９４と内補強リブ９５との間に、周方向に離間する一対の片部からなるバネ用係止部９９が前方に向けて突設され、該バネ用係止部９９に後述する第２捻りコイルバネ１１１の一方の係合片が係止するよう構成される。
【００７４】
前記第２取付ベース体９１には、前記内後受部９７を挟んで中心通孔９１ｃとは反対側に位置する右側の側壁９１ｂに、前記外補強リブ９４より内側(中心通孔９１ｃ側)まで突出する規制部１００が設けられている(図２３参照)。この規制部１００は、第２支持部材８５に対して第２の可動体８６が揺動された際に、前記第２可動基部８９に設けた後述する規制壁１０６ｃ,１０６ｄが規制部１００に当接することで、第２の可動体８６の揺動範囲を制限するようになっている(図２５参照)。
【００７５】
前記第２取付ベース体９１における後板９１ａの下端部側の裏面に前記第２モータ８７が配設され、該モータ８７における後板９１ａ前側に延出する出力軸に板状の第２駆動歯車１０１が前記第２収容空間Ｓ２に臨むように配設される。また、後板９１ａの下端部における第２駆動歯車１０１の配設位置に隣接する部位には、前記第２の可動体８６の揺動位置を検出する第２位置検出センサ１０２が取付けられている。この第２位置検出センサ１０２として、実施例では受光素子と発光素子とを備えた光学式センサを採用しているが、これに限らず、磁気センサやマイクロスイッチ、その他従来公知のセンサを第２の可動体側に設けられる被検出部(後述)に応じて採用することができる。なお、第２位置検出センサ１０２から導出する配線(図示せず)は、後板９１ａに形成した通孔９１ｅを介して外部に引き出されている。
【００７６】
前記第２取付ベース体９１には、前記第２モータ８７および第２位置検出センサ１０２の配設位置に近接する側壁９１ｂの外側に配線フック１０４が設けられ、前記第２位置検出センサ１０２から導出する配線および第２モータ８７から導出する配線が纏めて該配線フック１０４に係止された状態で裏側から前側へ側壁９１ｂ外面に沿って引き回されている。また、第２取付ベース体９１における下側の側壁９１ｂには、該側壁９１ｂの外面とによって前後方向に貫通する通路１０５ａを画成する案内部１０５が設けられ、前記配線フック１０４に係止されて一旦前側に引き回された配線は、該通路１０５ａに挿通されて裏側へ引き出されるようになっている。
【００７７】
(第２カバー体について)
前記第２カバー体９２の前板９２ａは、前記第２取付ベース体９１における案内部１０５の上側の開口部分を覆い得る寸法および形状に形成されており、第２取付ベース体９１の前側に第２カバー体９２をネジ止め固定することで、内部に前記第２収容空間Ｓ２が画成される。また第２カバー体９２における前板９２ａの裏面には、前記第２の可動体８６の軸孔１０７ａに挿通されて前側に突出する前記第２支持軸９３ａの先端を支持する右第１軸受部９２ｃが形成してある。また前板９２ａの裏面には、右第１軸受部９２ｃを囲繞する筒状で後方に開口する右第２軸受部９２ｄが所要長さで突設され、該右第２軸受部９２ｄには、第２の可動体８６の軸孔１０７ａが形成される後述する軸支部１０７の前端が回動自在に挿入されるようになっている(図２１参照)。
【００７８】
前記第２カバー体９２における前板９２ａの裏面に、図２０に示す如く、前記右第１軸受部９２ｃを中心として所要直径で環状の外突条部９２ｅが突設されると共に、該外突条部９２ｅより内側(右第１軸受部９２ｃ側)の前板９２ａ裏面に、外突条部９２ｅと同心で円弧状の内突条部９２ｆが突設されている。内・外の突条部９２ｅ,９２ｆには、図２２(ｂ)に示す如く、前記第２の可動体８６における第２可動基部８９に設けた後述する前球体１１９が転動自在に接触するよう構成される。実施例では、外突条部９２ｅおよび内突条部９２ｆは、前記第２取付ベース体９１の対応する外補強リブ９４および内補強リブ９５と夫々同一直径で形成されて、外突条部９２ｅは、第２可動基部８９を挟んで前記各外後受部９６に遊嵌されている後球体９８の前方に臨み、内突条部９２ｆは、第２可動基部８９を挟んで前記内後受部９７に遊嵌されている後球体９８の前方に臨むようになっている。
【００７９】
(第２の可動体について)
図１９または図２０に示すように、前記第２の可動体８６は、前記第２支持部材８５に対して第２取付ベース体９１の後板９１ａおよび第２カバー体９２の前板９２ａとの対向方向と交差する方向に回動自在に枢支される前記第２可動基部８９と、該第２可動基部８９に取付けられた前記第２装飾体部８８とから構成される。そして、前記第２支持部材８５に配設された前記第２モータ８７を正逆方向に駆動することで、第２の可動体８６は前記第２支持軸９３ａを中心として揺動するよう構成されている。
【００８０】
(第２可動基部について)
前記第２可動基部８９は、図１９、図２３に示すように、略円盤状に形成された本体部１０９における外周縁部に、前方に向けて側壁１０６ａ,１０６ｂ,１０６ｃ,１０６ｄが突設されている。本体部１０９の略中央には、壁を凹ませることで後方に向けて突出する支持突部８９ａが設けられると共に、該支持突部８９ａの中心から前方に向けて筒状の軸支部１０７が突設され、該軸支部１０７に穿設された前後に貫通する軸孔１０７ａに、前記第２支持軸９３ａが回動自在に挿通される。すなわち、第２可動基部８９は、軸支部１０７の軸孔１０７ａに挿通された第２支持軸９３ａを中心として回動可能に第２支持部材８５に支持される。また、本体部１０９の支持突部８９ｂが、第２取付ベース体９１の前記中心通孔９１ｃに回動自在に挿入されると共に、軸支部１０７の前端が、第２カバー体９２の右第２軸受部９２ｄに回動自在に挿入されることで、第２支持部材８５に対して第２可動基部８９を安定して回動自在に支持するよう構成される(図２１参照)。
【００８１】
前記軸支部１０７は、図２１に示す如く、支持突部８９ｂより小径に設定されて、支持突部８９ｂの前側に画成される凹部の内側と軸支部１０７との間には略筒状の溝部１０８が形成されるようになっている。また軸支部１０７は、前記側壁１０６ａ,１０６ｂ,１０６ｃ,１０６ｄより前方に突出する寸法に設定される。そして、第２取付べース体９１に第２カバー体９２を組付けた状態で、軸支部１０７の前端が前記右第２軸受部９２ｄに挿入されると共に、該右第２軸受部９２ｄの後端が、前記溝部１０８内に臨むよう構成される。
【００８２】
前記第２可動基部８９の本体部１０９は、図２３に示す如く、軸孔１０７ａを中心として外径が異なる大径部１０９ａと小径部１０９ｂとが設けられており、大径部１０９ａの外周縁部に設けられた側壁を大径側壁１０６ａと指称し、小径部１０９ｂの外周縁部に設けられた側壁を小径側壁１０６ｂと指称する。また小径側壁１０６ｂにおける周方向両端と対応する大径側壁１０６ａの端部とを連設する一方の側壁を第１規制壁１０６ｃ、他方を第２規制壁１０６ｄと夫々指称する。前記小径部１０９ｂにおける外周縁をなす円弧の中心角、すなわち小径側壁１０６ｂの周方向の長さは、前記第２取付べース体９１の規制部１００の周方向の長さより大きく設定され、第２可動基部８９を第２支持部材８５に配設した状態で、両規制壁１０６ｃ,１０６ｄの間に規制部１００が位置するよう構成される。そして、第２の可動体８６の前記待機位置において規制部１００に第１規制壁１０６ｃが当接することで第２の可動体８６の揺動が規制されており(図２５(ａ)参照)、該待機位置から第２の可動体８６が左方向に傾倒するよう揺動して規制部１００に第２規制壁１０６ｄが当接することで第２の可動体８６の揺動が規制されるようになっている。なお、以下の説明では、第２規制壁１０６ｄが規制部１００に当接して第２の可動体８６の揺動が規制される位置を作動位置(図２６(ｂ)参照)と指称する。すなわち、第２の可動体８６は待機位置と作動位置との間で揺動される。また、小径部１０９ｂにおける外周縁をなす円弧の中心角は、第２支持部材８５に対して第２可動基部８９を揺動自在に支持する周方向に隣り合う２つの前球体１１９,１１９間の中心角および後球体９８,９８間の中心角より大きく設されている。
【００８３】
前記第２可動基部８９における本体部１０９には、前記軸支部１０７を囲う溝部１０８に連通すると共に前後方向に貫通する扇形の通孔８９ｂが形成されており、該通孔８９ｂ内に、前記第２取付ベース体９１に設けたバネ用係止部９９が臨んでいる。また、本体部１０９の前面には、溝部１０８および通孔８９ｂの内周縁から前方に突出するように画壁部１１０が突設されると共に、該画壁部１１０には、通孔８９ｂの形成位置から周方向に離間する所要位置に、溝部１０８に連通するバネ用係止部１１０ａが凹設されている。そして、コイル部に軸支部１０７が挿通されるように配設した第２捻りコイルバネ１１１の一方の係合片が、第２取付ベース体９１のバネ用係止部９９に係止されると共に、該第２捻りコイルバネ１１１の他方の係合片が、画壁部１１０のバネ用係止部１１０ａに係止されており、第２の可動体８６は、第２捻りコイルバネ１１１によって常には待機位置に向けて付勢されるようになっている。
【００８４】
なお、前記第２取付ベース体９１に第２カバー体９２を組付けた状態で、図２１に示す如く、前記右第２軸受部９２ｄの後端が画壁部１１０の内側において溝部１０８内に臨み、該右第２軸受部９２ｄで第２捻りコイルバネ１１１の前方への移動を規制するようになっている。
【００８５】
前記第２の可動体８６の待機位置において、前記第２支持軸９３ａの上方に臨む前記大径側壁１０６ａに、周方向に所要長さの切欠部１１２が形成されると共に、該切欠部１１２に対応する本体部１０９に、径方向外方に延在する固定部１０３が一体に設けられる。固定部１０３は、第２取付ベース体９１における後板９１ａの外周縁から外方に突出しない寸法に設定される。また固定部１０３には、図２０に示す如く、突出端側において左右方向に離間して複数(実施例では２つ)の筒受部１１４が形成されると共に、各筒受部１１４にはネジ挿通用の通孔１１４ａが形成されている。更に、本体部１０９には、固定部１０３と前記画壁部１１０との間であって、後述する複数の外前受部１１７を通る第１仮想円Ｔ１の内側位置に、ネジ挿通用の通孔１０９ｃが形成されている。
【００８６】
前記第２可動基部８９の本体部１０９における裏面(他方の面)に、前記第２取付ベース体９１に設けた前記外補強リブ９４および内補強リブ９５と対向する位置に円弧状の外突条部１１５および内突条部１１６が夫々突設される。そして、内・外の突条部１１５,１１６には、図２２(ａ)に示す如く、前記第２取付ベース体９１の内・外の後受部９６,９７に遊嵌されている後球体９８が転動自在に接触するよう構成される。また、本体部１０９における前面(一方の面)には、図２３に示す如く、前記大径部１０９ａにおける外周縁部近傍に、前側に突出すると共に前側に開口する凹部１１７ａが形成された外前受部(第２の受部)１１７が周方向に離間して設けられると共に、前記小径部１０９ｂにおける外周縁部近傍に、前側に突出すると共に前側に開口する凹部１１８ａが形成された内前受部(第２の受部)１１８が設けられている。実施例では、大径部１０９ａに、３つの外前受部１１７が周方向に９０°の角度間隔で設けられるのに対し、小径部１０９ｂには、１つの内前受部１１８が、大径部１０９ａにおいて周方向に１８０°の角度間隔で隣り合う２つの外前受部１１７,１１７の間において、残る１つの外前受部１１７と軸孔１０７ａを挟んで対向する位置に設けられる。すなわち、大径部１０９ａおよび小径部１０９ｂに設けられた合計４つの前受部１１７,１１７,１１７,１１８は、軸孔１０７ａの中心から各前受部１１７,１１７,１１７,１１８を通る放射線が周方向に９０°の角度間隔となるように設けられる。
【００８７】
内・外の各前受部１１７,１１８には、凹部１１７ａ,１１８ａに前側から前球体(第１転動体)１１９が転動自在に遊嵌されて、図２２(ｂ)に示す如く、該前球体１１９の各前受部１１７,１１８から前方に突出する部分が前記第２カバー体９２の対応する前記内・外の突条部９２ｅ,９２ｆに転動自在に接触するよう構成される。すなわち、第２可動基部８９の本体部１０９は、前後両側で夫々複数の球体９８,１１９により回動自在に支持されて、前記第２支持軸９３ａを中心に第２可動基部８９が揺動する際には、後球体９８および前球体１１９に接触した状態で安定して揺動するよう構成されている。なお、各前受部１１７,１１８の本体部１０９からの突出寸法は、前記側壁１０６ａ,１０６ｂ,１０６ｃ,１０６ｄより長く設定されて、各側壁１０６ａ,１０６ｂ,１０６ｃ,１０６ｄの前端が第２カバー体９２の裏面に接触しないようにしてある。なお、前球体１１９としては、該前球体１１９が接触する第２カバー体９２より硬い材質のものが好適に使用され、実施例ではステンレス製の球体が用いられる。
【００８８】
前記第２の可動体８６の待機位置において第２可動基部８９の裏面に接触する各後球体９８は、図２３に示す如く、該第２可動基部８９の前面に配設されて周方向(第２の可動体８６の移動方向)に隣り合う前球体１１９,１１９の中間に臨むように設定される。すなわち、後球体９８および前球体１１９は、夫々４つ球体が周方向に９０°の角度間隔で配置されているから、待機位置における正面視において、前球体１１９と周方向に隣り合う後球体９８とは４５°の角度間隔で臨むようになっている。なお、４つの後球体９８の内の２つは、第２の可動体８６の待機位置および作動位置において、第２可動基部８９に配設される第２装飾体部８８の長手方向に略整列するように前記第２支持軸９３ａを挟む両側に位置している。また、前記外前受部１１７および外後受部９６に遊嵌されて第２可動基部８９を前後から支持する外側の前球体１１９および外側の後球体９８の夫々は、第２可動基部８９の小径部１０９ｂの外周(具体的には小径側壁１０６ｂの外周)を通り、軸支部１０７を中心(第２の可動体８６の回転中心)とする第２仮想円Ｔ２より外側に位置して、該第２可動基部８９を安定して支持し得るよう構成されている。
【００８９】
前記第２可動基部８９の本体部１０９における大径側壁１０６ａには、前記切欠部１１２から周方向に離間した位置に、前記第２駆動歯車１０１と噛合する歯車部８９ｃが所定角度範囲で形成されている。すなわち、前記第２モータ８７を駆動して第２駆動歯車１０１を正転および逆転方向に回転することで、第２可動基部８９(第２の可動体８６)は前記第２支持軸９３ａを中心として左右方向に揺動する。実施例では、歯車部８９ｃを備えた第２可動基部８９が、板状の可動ギヤとして機能する。
【００９０】
前記第２可動基部８９の歯車部８９ｃには、径方向外方に延出する前記被検出部としての第１位置検出片１２０ａおよび第２位置検出片１２０ｂが周方向に離間して形成されている。両位置検出片１２０ａ,１２０ｂは、前記第２位置検出センサ１０２の発光素子と受光素子との間に臨み得る位置に設けられており、前記第２可動基部８９の揺動に伴って該発光素子と受光素子との間を位置検出片１２０ａ,１２０ｂが移動し得るようになっている。そして、第１位置検出片１２０ａを第２位置検出センサ１０２で検出した際には、前記待機位置に第２の可動体８６が位置し(図２３,図２５(ａ)参照)、第２位置検出片１２０ｂを第２位置検出センサ１０２が検出した際には、前記作動位置に第２の可動体８６が位置している(図２５(ｂ)の参照)。そして、前記第２位置検出センサ１０２が検出する第２の可動体８６の位置に基づいて、図示しない制御手段により第２モータ８７が駆動制御されるよう構成される。なお、歯車部８９ｃに形成する位置検出片を１つとし、前記第１可動演出装置Ｍ１と同様に、第２位置検出センサ１０２で位置検出片を検出した位置を基準として制御手段が第２モータ８７を駆動制御する態様としてもよい。
【００９１】
(第２装飾体部について)
前記第２装飾体部８８は、図１９、図２０に示す如く、装飾ベース１２１と、該装飾ベース１２１の裏側に配設された第２ＬＥＤ基板(電気部品)１２２と、装飾ベース１２１および第２ＬＥＤ基板１２２の間に配設されたレンズカバー１２３および装飾ベース１２１の前側に配設された複数の装飾品１２４とから基本的に構成されて、装飾ベース１２１の長手方向の一端が前記第２可動基部８９の固定部１０３および本体部１０９にネジ止め固定される。
【００９２】
前記装飾ベース１２１は、光透過性を有する合成樹脂材により槍の穂先部を模した形状に形成されると共に、全体が前方に膨出するよう形成された装飾本体１２５と、該装飾本体１２５の長手方向の一端から外方に延出する被固定部１２６とを備える。装飾本体１２５における被固定部１２６側の端部には、前記第２可動基部８９の固定部１０３に設けた前記各筒受部１１４に対応する固定用ボス１２７が後側に向けて突設されており、該固定用ボス１２７を対応する筒受部１１４に夫々前側から嵌挿することで、第２可動基部８９に対して装飾ベース１２１(第２装飾体部８８)が位置決めされる。また各固定用ボス１２７にネジ孔１２７ａが形成されると共に、前記被固定部１２６の延出端側にネジ孔１２６ａが形成されており、各筒受部１１４および本体部１０９に形成した各通孔１１４ａ,１０９ｃに後側から挿通したネジを、対応する固定用ボス１２７のネジ孔１２７ａおよび被固定部１２６のネジ孔１２６ａに螺挿することで、第２可動基部８９に対して装飾ベース１２１(第２装飾体部８８)が位置決め固定される。第２可動基部８９に対して装飾ベース１２１の被固定部１２６は、前記固定用ボス１２７を筒受部１１４に嵌挿した状態で、図２３に示す如く、前記複数の外前受部１１７を通る第１仮想円Ｔ１より内側(軸支部側)に延出しており、この延出部分において本体部１０９に被固定部１２６がネジ止めされている。また実施例では、前記通孔１０９ｃは、被固定部１２６を挟んで周方に隣り合う一対の外前受部１１７,１１７に遊嵌された前球体１１９,１１９を結ぶ仮想支持ラインＴ３より軸支持側に設けられ、第２可動基部８９に対して装飾ベース１２１は、該仮想支持ラインＴ２の内側と外側とで夫々ネジ止め固定されている。
【００９３】
前記装飾ベース１２１の前面の一部分には、遮光処理により光を透過不能な遮光部が設けられており、後述するＬＥＤ１２２ａの光が遮光部で遮られることで、装飾ベース１２１の前面に所要の模様が明輝表示されるようになっている。すなわち、遮光処理されていない領域が、ＬＥＤ１２２ａからの光を透過可能な光透過部として機能する。なお、遮光処理としては、装飾ベース１２１に塗装を施したり、アルミ等の金属を蒸着することで実現でき、また光を透過不能な部材を別途取付けることにより実現することも可能である。
【００９４】
前記装飾ベース１２１には、図１９、図２０に示す如く、前後方向に貫通する開口部分１２１ａが長手方向に離間して複数箇所に形成され、各開口部分１２１ａには、前記レンズカバー１２３が裏側から夫々嵌合されている。前記第２ＬＥＤ基板１２２は、前記装飾ベース１２１と略相似形で、裏側に隠れる寸法に設定され、該第２ＬＥＤ基板１２２と装飾ベース１２１とでレンズカバー１２３が挟まれる。第２ＬＥＤ基板１２２の前面には、各レンズカバー１２３と対応する位置、および装飾ベース１２１の光透過部に対応する位置の夫々に複数のＬＥＤ１２２ａが実装されており、該ＬＥＤ１２２ａの光がレンズカバー１２３および光透過部を介して前側に照射されるよう構成してある。なお、ＬＥＤ１２２ａは、発光色が単色のものであってもよく、また複数色を発光し得るものであってもよい。
【００９５】
前記第２ＬＥＤ基板１２２の前面には、前記固定部１０３側の端部に、該第２ＬＥＤ基板１２２に沿って下方側からコネクタを接続可能なコネクタ受け部１２２ｂが設けられている。このコネクタ受け部１２２ｂに一端が接続する第２配線Ｈ２は、装飾ベース１２１と固定部１０３との隙間から第２可動基部８９の本体部１０９前側に引き出されるようになっている。前記第２カバー体９２の前板９２ａには、図２０に示す如く、前記外突条部９２ｅの内側位置に、前後方向に貫通する配線口９２ｇが周方向に所要長さで形成されており、該配線口９２ｇを介して前記第２配線Ｈ２が第２支持部材８５の外部に引き出される。また、第２支持部材８５の外部に引き出された第２配線Ｈ２は、図２４に示す如く、前記案内部１０５の通路１０５ａから裏側に引き出された後、前記設置部材２８の裏側に設けた設置部に配設された図示しない中継基板(基板)に接続される。
【００９６】
（第２配線について)
前記第２配線Ｈ２の引き回し形態は、前記第１配線Ｈ１の引き回し形態と基本的に同じである。すなわち、第２配線Ｈ２は、前記装飾ベース１２１と固定部１０３との隙間から第２可動基部８９の本体部１０９と第２カバー体９２の前板９２ａとの間に引き込まれた後、前記右第２軸受部９２ｄの近傍において前記配線口９２ｇから外部に引き出され、第２カバー体９２(前板９２ａ)の前側で第２の可動体８６の揺動軸線(正面視において右第２軸受部９２ｄ)を囲むように環状に巻かれるよう構成されており、該環状に巻かれた部分が第２移動許容部(移動許容部)１２８として機能するようになっている。また、第２移動許容部１２８より基板接続部側の部位が、図２４に示す如く、前記第２カバー体９２における前板(保持部)９２ａの前面に、粘着テープ等からなる保持手段１２９によって移動しないように保持されている。なお、保持手段１２９による第２配線Ｈ２の保持位置は、前記第２の可動体８６の待機位置において前記配線口９２ｇを挟んで第２装飾体部８８とは反対側(第２配線Ｈ２の本体部１０９および前板９２ａとの間への引き込み部とは反対側)に設定されて、第２移動許容部１２８が正面視において環状を保持し得るようになっている。また実施例では、第２配線Ｈ２は、前記案内部１０５の通路１０５ａへ引き込まれる直前でも保持手段１２９で保持されている。なお、図２５では、第２支持部材８５の第２カバー体９２を省略して示している。
【００９７】
前記環状の第２移動許容部１２８は、図２６に示す如く、前記第２の可動体８６の待機位置において、該第２配線Ｈ２が断線しない所要の負荷が加わった初期状態を保持し、該第２の可動体８６が待機位置から作動位置へ揺動する際に径が大きくなることで、前記負荷が低減する許容状態へと状態変化するよう構成される。すなわち、第２の可動体８６は、待機位置から左方へ移動して作動位置に至るように移動することから、第２移動許容部１２８は、配線口９２ｇから引き出された第２配線Ｈ２が、第２の可動体８６の揺動軸線(右第２軸受部９２ｄ)の回りを左側−下側−右側−上側の順で通る左回りに巻かれる。これにより、第２の可動体８６が待機位置から作動位置へ揺動する際には、第２移動許容部１２８における保持手段１２９により固定される側に対して前記第２ＬＥＤ基板１２２の接続側が左方に移動することで、該第２移動許容部１２８は径が大きくなる方向に変化する。なお、第２移動許容部１２８の初期状態において、該移動許容部１２８の内径は前記右第２軸受部９２ｄの外径より充分に大きく設定される。
【００９８】
前記第２移動許容部１２８は、第２配線Ｈ２を環状に巻いた際の交差部において、第２ＬＥＤ基板１２２側に引き回される第１部位１２８ａが、前記配線口９２ｇから引き出されて前記保持手段１２９で保持される側に引き回される第２部位１２８ｂに対して第２可動基部８９の本体部１０９側(第２の可動体８６の揺動領域側)で重なっている。すなわち、実施例では第１部位１２８ａに対して第２部位１２８ｂが前側で重なるよう構成され、第２の可動体８６の揺動に際して第２移動許容部１２８の状態が変化する際に、第１部位１２８ａが前側へ変位するのを第２部位１２８ｂで抑制するようになっている。
【００９９】
(第３可動演出装置について)
前記第３可動演出装置Ｍ３は、図１,図２または図４に示す如く、上対向面壁３１ａに沿って上下方向に移動自在に配設された第３の可動体１３０と、該第３の可動体１３０を移動する駆動機構(図示せず)とを備え、駆動機構によって第３の可動体１３０は、前記図柄表示装置１３における表示部１３ａの前側に臨む作動位置と該表示部１３ａの前側から退避する待機位置との間を移動するよう構成される。なお、第３の可動体１３０は、後述する第３ＬＥＤ基板１３３を備え、該第３ＬＥＤ基板１３３に配設したＬＥＤ１３３ａ,１３３ｂの発光により発光演出を行ない得るよう構成されており、第３可動演出装置Ｍ３は、動作による演出のみならず発光により演出を行なう演出装置としても機能するようになっている。
【０１００】
(第３の可動体について)
前記第３の可動体１３０は、図２６〜図２８にように、前面をなす光透過性のレンズ体部１３１と、該レンズ体部１３１の後側に配設されて前記駆動機構に連結される後カバー体１３２と、該レンズ体部１３１および後カバー体１３２の間に配設される第３ＬＥＤ基板１３３とから基本的に構成されて、該第３ＬＥＤ基板１３３のＬＥＤ１３３ａ,１３３ｂからの光がレンズ体部１３１を透過して前方へ照射されるようになっている。前記レンズ体部１３１は、前面部１３４ａおよび該前面部１３４ａの外周縁から後方に突出する外周壁部１３４ｂから形成されて後方に開口する第３光透過部材(第１の光透過部材)１３４と、該第３光透過部材１３４の外周壁部１３４ｂがなす内側輪郭形状に合致する形状に形成されて該第３光透過部材１３４の内側に収容される第４光透過部材(第２の光透過部材)１３５とからなる二重構造とされており、該第３光透過部材１３４および第４光透過部材１３５の夫々を透明な合成樹脂材により形成してある。なお、第３光透過部材１３４、第４光透過部材１３５、第３ＬＥＤ基板１３３および後カバー体１３２は、位置決め突起と孔とを嵌合する等の位置決め手段により相互に正確に位置決めされると共に、第３光透過部材１３４に後カバー体１３２をネジ止め固定することで、第３光透過部材１３４と後カバー体１３２との間に第４光透過部材１３５および第３ＬＥＤ基板１３３が挟持固定される。
【０１０１】
(第３光透過部材について)
前記第３光透過部材１３４における前面部１３４ａの一部および外周壁部１３４ｂには、光を遮断する遮光処理がなされており、該前面部１３４ａの一部が光を透過する光透過部として機能するようになっている。なお、実施例では、前記第３光透過部材１３４の前面部１３４ａの一部および外周壁部１３４ｂに金属メッキ処理を施すことで、適宜形態で光透過部を形成してある。実施例では、前面部１３４ａに形成された光透過部は、当該パチンコ機１０のモチーフに関連する文字等が表示されるようになっている。前記第３光透過部材１３４における前面部１３４ａの裏面側には、光拡散加工が全面的に施されており、前記第３ＬＥＤ基板１３３に設けたＬＥＤ１３３ａ,１３３ｂからの光を拡散して前側に照射するようになっている。なお、実施例では、前記第３光透過部材１３４の裏面に光拡散加工として波形の凸を多数並列に形成しているが、これに限られるものではなく、光を拡散する従来公知の形状に形成してもよい。
【０１０２】
(第４光透過部材について)
図２６、図２８に示すように、前記第４光透過部材１３５は、前記第３光透過部材１３４における外周壁部１３４ｂがなす内側輪郭形状に合致する形状に形成されると共に光拡散加工がなされた板状の対向面部１３５ａと、該対向面部１３５ａの外周縁に沿って設けられ、当該対向面部１３５ａから後方に突出する当接壁１３５ｂとから構成される。第３光透過部材１３４の後方開口を介して該第３光透過部材１３４の内側に第４光透過部材１３５を収容した際に、当接壁１３５ｂの前端部が第３光透過部材１３４の前面部１３４ａの裏面に突設した規制突部に当接することで、対向面部１３５ａが第３光透過部材１３４の前面部１３４ａから所定間隔離間する位置に位置規制される。すなわち、前記第４光透過部材１３５の裏側に配設された前記第３ＬＥＤ基板１３３のＬＥＤ１３３ａ,１３３ｂからの光を、該第４光透過部材１３５で拡散させた後に第３光透過部材１３４に照射することで、該第３光透過部材１３４の光透過部を全体的に明輝し得るようになっている。
【０１０３】
(第４光透過部材の光拡散部について)
次に、前記第４光透過部材１３５に設けられる光拡散部の具体的構成について説明する。図３１に示すように、該第４光透過部材１３５の対向面部１３５ａに、光拡散構成部(光拡散部)１３６が多数形成されている。この光拡散構成部１３６は、図２９に示す如く、対向面部１３５ａの裏面に形成されて後方に突出する弧状凸面１３７と、対向面部１３５ａの前面における弧状凸面１３７の中心部の前方に対向する位置に形成されて後方へ略円錐状に凹む第７光拡散部(反射凹部)１３８と、該弧状凸面１３７を中心として同心円状に形成された複数の第８光拡散部１３９とを備える。弧状凸面１３７は、前記第３ＬＥＤ基板１３３に配設した第１ＬＥＤ１３３ａの発光面と対向し、第１ＬＥＤ１３３ａから弧状凸面１３７に照射された光を、該弧状凸面１３７で集光し得るよう構成される。そして、該弧状凸面１３７で集光された光が、第７光拡散部１３８の円錐面に照射されるようになっている。なお、第７光拡散部１３８を構成する円錐面を、第７反射面１３８ａと指称することとする。
【０１０４】
ここで、実施例における第７光拡散部１３８の第７反射面１３８ａは、後端から前端に向かうにつれて前側に凸となる弧状に形成されており、第７反射面１３８ａと、対向面部１３５ａに垂直な基準線Ｌ７とが交差する角度θ７は、後側から前側に向かうにつれて４５°から徐々に大きくなるよう設定されている。すなわち、第７光拡散部１３８の第７反射面１３８ａは、前側に向かうにつれて対向面部１３５ａの裏側に近接するよう構成されて、第７反射面１３８ａに照射された光を、前記第８光拡散部１３９に向けて反射し得るようになっている。但し、第７反射面１３８ａの前記角度θ７は、当該光拡散構成部１３６を構成する最も外側の第８光反射部１３９に向けて光を反射可能な角度に設定される。従って、前記第７光拡散部１３８で反射した光は、複数の第８光拡散部１３９に照射されるようになっている。
【０１０５】
前記第８光拡散部１３９は、図２９に示す如く、断面形状が前方に向けて傾斜面が収束する略三角形状の凹部から構成される。そして、光拡散構成部１３６では、各第８光拡散部１３９における各前端部が前記弧状凸面１３７から離間するにつれて前側へ変位するよう形成されている。ここで、対向面部１３５ａを前側に凹設して形成された第８光拡散部１３９は、中心側(弧状凸面１３７側)の傾斜面と中心から離間する傾斜面から構成されており、第８光拡散部１３９を構成する中心側に臨む傾斜面を内側第８反射面１３９ａと指称すると共に、中心とは反対側に臨む傾斜面を外側第８反射面１３９ｂと指称するものとする。そして、実施例では、内側および外側第８反射面１３９ａ,１３９ｂと、第８光拡散部１３９の前端部を通る対向面部１３５ａに垂直な基準線Ｌ８とが交差する角度θ８は、夫々略４５°に設定されている。すなわち、各第８光拡散部１３９の各内側第８反射面１３９ａは、前記第７光拡散部１３８を向くよう構成されている。従って、前記第７光拡散部１３８で反射した光は、第８光拡散部１３９の内側第８反射面１３９ａに照射され、該内側第８反射面１３９ａにおいて前方へ反射されるようになっている。なお、内側第８反射面１３９ａで反射されることなく透過する光は、該内側第８反射面１３９ａに対する光の入射角に応じた屈折角で屈折されて外側第８反射面１３９ｂで乱反射することで拡散効果を向上するよう構成されている。
【０１０６】
(第４光透過部材の異形光拡散部について)
前記対向面部１３５ａの裏面には、前記光拡散構成部１３６での光の拡散形態(明輝形態)が異なる異形光拡散部(光透過部)１４０が、光拡散構成部１３６とは区分けして複数形成されている。この異形光拡散部１４０は、図３０,図３１に示す如く、対向面部１３５ａを前側に向けて略十字形状に凹設した凹溝部１４１から構成される。この凹溝部１４１は、中央(２本の線部の交差部)から外方に延在する部分が延在端側に向けて幅が小さくなるよう設定される。異形光拡散部１４０の裏面、すなわち凹溝部１４１の底となる面には、光拡散加工として複数の第９光拡散部１４２が形成されている。この第９光拡散部１４２は、図３０に示す如く、断面形状が後方に向けて突出する略三角形状で、凹溝部１４１の中央から延在端側に並列となるように配置されている。
【０１０７】
実施例では、各第９光拡散部１４２を構成する２つの傾斜面を第９反射面１４２ａと指称する。そして、各第９反射面１４２ａと、該第９反射面１４２ａの前端部を通る対向面部１３５ａに垂直な基準線Ｌ９とが交差する角度θ９は、夫々略４５°に設定されている。これにより、前記第３ＬＥＤ基板１３３に配設されて凹溝部１４１の中央に対応する第２ＬＥＤ１３３ｂから照射された光は、各第９光拡散部１４２の一方の第９反射面１４２ａから、隣接する別の第９光拡散部１４２の対向する第９反射面１４２ａに向けて反射し、該第９反射面１４２ａから前方へ反射されるようになっている。
【０１０８】
前記対向面部１３５ａの前面(表面)には、前記異形光拡散部１４０を除く部位に、光拡散加工が施されている。実施例では、対向面部１３５ａの前面に施される光拡散加工として、前記第３光透過部材１３４に施した光拡散加工とは異なる形態の拡散加工が施されて、第３光透過部材１３４の前面(表面)に面白みのある発光形態を現わせ得るようになっている。なお、実施例では、対向面部１３５ａに施される光拡散加工としてダイヤモンド加工を施してあるが、これに限られるものでなく、第３光透過部材１３４に施した光拡散加工とは異なる形態であれば、従来公知の各種形態を採用し得る。
【０１０９】
前記対向面部１３５ａの前面には、前記異形光拡散部１４０に対応する部位は平坦に形成され、この平坦面１４３に現われる発光形態を、前記各光拡散構成部１３６に対応する対向面部１３５ａの前面に現われる発光形態とは際だって異なるようにしてある。
【０１１０】
(第３ＬＥＤ基板について)
前記第３ＬＥＤ基板１３３には、前記第４光透過部材１３５の対向面部１３５ａに形成された各光拡散構成部１３６の中心部に位置する弧状凸面１３７に対応する位置に、前方向けて光を照射する姿勢で第１ＬＥＤ(第１発光体)１３３ａが設けられている。また第３ＬＥＤ基板１３３には、第４光透過部材１３５の対向面部１３５ａに形成された各異形光拡散部１４０における凹溝部１４１の中央(交差部)に対応する位置に、前方へ向けて光を照射する姿勢で第２ＬＥＤ(第２発光体)１３３ｂが設けられている。すなわち、第１ＬＥＤ１３３ａおよび第２ＬＥＤ１３３ｂを発光することで、前記第３の可動体１３０における第３光透過部材１３４の前面は、各ＬＥＤ１３３ａ,１３３ｂの対応箇所において異なる形態で明輝するよう構成される。なお、各ＬＥＤ１３３ａ,１３３ｂは、発光色が単色のものであってもよく、また複数色を発光し得るものであってもよい。
【０１１１】
(その他の発光装置について)
前記設置部材２８における左右の対向面壁３１ｃ,３１ｄには、対応する第１可動演出装置Ｍ１および第２可動演出装置Ｍ２の前側に離間して左発光装置１４４および右発光装置１４５が配設される。左発光装置１４４と左対向面壁３１ｃとの間に画成される空間(設置空間Ｓ)に、第１可動演出装置Ｍ１における第１の可動体３４が待機位置において収容され、また右発光装置１４５と右対向面壁３１ｄとの間に画成される空間(設置空間Ｓ)に、第２可動演出装置Ｍ２の第２の可動体８６が待機位置において収容される。各発光装置１４４,１４５は、光透過性の装飾部品の裏側に、複数のＬＥＤを実装した発光基板を備え、ＬＥＤから前方に向けて照射した光で装飾部品を照明するよう構成される。なお実施例では、左発光装置１４４は、透明な前記遊技盤１７の裏側に位置し、照明された装飾部品が遊技盤１７を透して前側から視認されるようになっているのに対し、右発光装置１４５は、前記枠状装飾部品２３の窓口内に露出して位置し、照明された装飾部品が前側から直接視認(具体的にはガラス板を介して視認)されるようになっている。
【０１１２】
前記設置部材２８の上対向面壁３１ａに上発光装置１４６が配設され、該上発光装置１４６は、前記第３可動演出装置Ｍ３における待機位置に位置する第３の可動体１３０の裏側に臨んで大部分が隠れるよう構成される(図１参照)。そして、第３の可動体１３０が作動位置に移動することで、図２に示す如く、上発光装置１４６が前面側に大きく露出するようになっている。上発光装置１４６は、光透過性の装飾部品の裏側に、複数のＬＥＤを実装した発光基板を備え、ＬＥＤから前方に向けて照射した光で装飾部品を照明するよう構成される。
【０１１３】
〔実施例の作用〕
次に、前述した実施例に係るパチンコ機の作用につき説明する。
【０１１４】
前記遊技領域１７ａに打ち出されたパチンコ球は、前記枠状装飾部材２３の外周囲を流下し、該パチンコ球が前記球導入部２５に通入すると、該パチンコ球は前記ステージ２４に通出され、該ステージ２４を左右に転動した後に遊技領域１７ａに排出され、このパチンコ球は始動入賞装置２０や普通入賞装置２２等に入賞可能となる。そして、始動入賞装置２０にパチンコ球が入賞すると、前記図柄表示装置１３の図柄が変動開始され、所要の図柄組合わせゲームが展開される。前記図柄表示装置１３で展開される図柄変動ゲームの結果、図柄表示装置１３の表示部１３ａに所定の図柄組合わせで図柄が停止表示されたときに大当りが発生する。そして、大当りが発生すると、図柄表示装置１３の表示部１３ａに表示された図柄組み合わせに応じて、前記遊技盤１７の下方に設けられた特別入賞装置２１の入賞口が開放され、遊技者は多くの賞球が獲得可能となる。
【０１１５】
前記図柄表示装置１３で展開される図柄変動ゲームの演出に応じて、前記可動演出装置Ｍ１,Ｍ２,Ｍ３の各可動体３４,８６,１３０が作動されて動的な演出により遊技の興趣が高められる。また、各発光装置１４４,１４５,１４６および遊技盤１７に配設されている他の各種照明装置等も、図柄変動ゲームの演出に応じて発光されて、発光による演出により遊技の興趣が向上される。
【０１１６】
特に、前記第１可動演出装置Ｍ１における第１の可動体３４および第２可動演出装置Ｍ２における第２の可動体８６は、図２に示す如く、作動位置において前記枠状装飾部材２３における窓口２３ａの左右の縁部から前記図柄表示装置１３における表示部１３ａの中央部まで延出する大型のものであり、演出効果を極めて向上することができる。しかも、第１の可動体３４と第２の可動体８６とは表示部１３ａの中央部で前後に重なって交差するから、遊技者に、よりインパクトを与えることができる。
【０１１７】
ここで、前記第１可動演出装置Ｍ１および第２可動演出装置Ｍ２との構成は、設置部材２８に配設される支持部材３３,８５と、支持部材３３,８５から遊技盤１７の盤面に沿って延出する可動体３４,８６と、支持部材３３,８５に配設されて可動体３４,８６を駆動するモータ３５,８７とを備えるものであって、基本的な構成は同じである。そして、実施例では、図６に示す如く、前記遊技盤１７の盤面に沿って第１の移動領域を第１の可動体３４が移動する前記第１可動演出装置Ｍ１では、第１モータ３５を第１支持部材３３の前側に配設する一方、第１の移動領域より前側の第２の移動領域を遊技盤１７の盤面に沿って第２の可動体８６が移動するよう設定された前記第２可動演出装置Ｍ２では、第２モータ８７を第２支持部材８５の後側に配設している。これにより、略同一構成の両可動演出装置Ｍ１,Ｍ２の一方における前後寸法のスペース内で、両可動演出装置Ｍ１,Ｍ２を設置することが可能となり、前後方向の設置スペースを小さく抑えることができる。すなわち、２基の可動演出装置において、各モータを支持部材の前または後の同一側に配設する場合は、２基の可動体を前後に交差させる演出を行なうためには、一方の可動演出装置に対して他方の可動演出装置の全体を前後何れかの方向にずらして設置する必要があり、可動演出装置の設置スペースにおける前後方向の寸法が大きくなってしまう。これに対し、実施例では支持部材３３,８５に対するモータ３５,８７の配設側を前後逆にするだけの簡単な構成で、可動演出装置Ｍ１,Ｍ２の設置スペースにおける前後寸法を大きくすることなく、大型で作動位置において前後に重なる演出を行ない得る可動体３４,８６を採用し得るものである。従って、パチンコ機１０自体の前後寸法も小さく抑えることが可能となる。
【０１１８】
また、前記両可動演出装置Ｍ１,Ｍ２では、前後方向に延在する支持軸４１ａ,９３ａに板状の可動基部３７,８９を回転自在に配設すると共に、モータ３５,８７の前後方向に延在する出力軸に板状の駆動歯車４８,１０１を配設し、該駆動歯車４８,１０１と可動基部３７,８９の歯車部３７ｄ,８９ｃとの噛合作用下に、モータ３５,８７の動力を可動体３４,８６に伝えて該可動体３４,８６を移動するよう構成されている(図１３,図２３参照)。すなわち、モータ３５,８７の動力を可動体３４,８６に伝える駆動機構部に、板状の駆動歯車４８,１０１および板状の可動基部３７,８９を採用したことで、該駆動機構部が収容される支持部材３３,８５自体の前後寸法も小さく抑えることができ、可動演出装置Ｍ１,Ｍ２の設置スペースにおける前後寸法をより小さくし得る。
【０１１９】
(第１可動演出装置の作用について)
前記第１の可動体３４の第１可動基部３７は、図１２に示す如く、前後の両側から転動自在な前球体６１および後球体４５で移動自在に支持されている。すなわち、第１の可動体３４の揺動時には対応する前後の球体６１,４５が夫々転動することで、摺動する場合に比べて著しく抵抗を低減することができる。従って、前記第１支持部材３３に支持されている第１可動基部３７に対して第１装飾体部３６が長く設定された大型の第１の可動体３４においても、該可動体３４を円滑に揺動させることができ、かつ第１の可動体３４を揺動する第１モータ３５に加わる負荷も低く抑え得る。
【０１２０】
前記第１の可動体３４の揺動に際しては、第１可動基部３７の裏面に接触する後球体４５および第１カバー体４０の裏面に接触する前球体６１の夫々が転動するから、該球体４５,６１が接触する面の摩耗は抑制され、球体４５,６１による第１の可動体３４の長期に亘る安定した支持が図られ、よって第１の可動体３４の円滑な動作は長期に亘って維持される。更に、前記第１の可動体３４の揺動に際し、前記第１取付ベース体３９に配設した後球体４５は、前記第１可動基部３７に突設した第２の突条部５９に接触して転動し、該可動基部３７に配設した前球体６１は、前記第１カバー体４０に突設した第１の突条部４０ｅに接触して転動する。すなわち、各突条部５９,４０ｅは、第１可動基部３７の裏面または第１カバー体４０の裏面から所要高さで突出しているから、各球体４５,６１が接触する各突条部５９,４０ｅが摩耗したとしても、第１取付ベース体３９(具体的には後受部４４)が第１可動基部３７の裏面に摺接したり、第１可動基部３７(具体的には前受部６０)が第１カバー体４０の裏面に摺接してしまうまでの期間を延ばすことができる。
【０１２１】
前記第１可動基部３７の前後に配置される前球体６１および後球体４５は、図１３に示す如く、何れも周方向に等間隔で配置されているから、第１可動基部３７が前記第１支持軸４１ａを中心として揺動する際の第１の可動体３４の動作が安定する。また、前記第１取付ベース体３９の後板３９ａには裏側に第１補強板金４１が配設されているから、該後板３９ａが変形するのは抑制される。すなわち、第１の可動体３４の揺動時における前後方向の偏倚は抑制されるから、前述したように第１の可動体３４と第２の可動体８６とが動作時に前後の関係で交差可能な構成において、両可動体３４,８６の移動領域を相互に干渉しない範囲でより近づけることができ、パチンコ機自体の前後寸法の短縮化に寄与し得る。
【０１２２】
また、前記第１可動演出装置Ｍ１の第１の可動体３４の基準となる待機位置において、前記第１可動基部３７に対する前球体６１および後球体４５の各位置は、後側に位置して周方向に隣り合う後球体４５と後球体４５との中間に、前側に位置する各前球体６１が臨んでいる(図１３参照)。すなわち、正面視において前記第１支持軸４１ａを中心とする同一の円周上において８個の球体６１,４５が等間隔(４５°の角度間隔)で位置して第１可動基部３７を支持しているから、当該待機位置において第１可動基部３７を安定して支持することができ、第１の可動体３４を適正な姿勢に保持し得る。また、正面視において前後の球体６１,４５が周方向に交互に位置することで、正面視において第１可動基部３７に対して球体６１,４５が接触する周方向の間隔は、前球体６１のみまたは後球体４５のみでの間隔より小さくなる(半分となる)。すなわち、第１可動基部３７に配設される前球体６１、および第１取付ベース体３９に配設される後球体４５について、少ない配設数で第１可動基部３７を安定して支持することができ、部品点数を低減してコストを抑えることができる。なお、第１の可動体３４の待機位置において、前記第１装飾体部３６の長手方向が前記第１支持軸４１ａの上方に略整列した状態で延在しており、該長手方向に沿って２つの前球体６１が第１支持軸４１ａが挟んで位置することで、該第１の可動体３４の安定した保持に寄与している。
【０１２３】
前記第１の可動体３４の待機位置において、図１３に示す如く、前記第１支持部材３３に配設した金属体４２に、第１の可動体３４に配設した磁石５８が磁力吸着して該第１の可動体３４は待機位置に保持されている。すなわち、前記第１装飾体部３６を大型化しても、第１の可動体３４を待機位置に確実に保持しておくことができ、パチンコ機１０が振動等した際に、第１の可動体３４が意図しない動きを行なってしまうのを防止し得る。また第１可動演出装置Ｍ１では、前記第１可動基部３７に配設した第１捻りコイルバネ５７によって第１の可動体３４は待機位置に向けて付勢されるようなっているから、該第１捻りコイルバネ５７によっても第１の可動体３４を待機位置に保持し得る。
【０１２４】
ここで、実施例の第１の可動体３４は、図４および図５に示す如く、待機位置では第１装飾体部３６が略上下方向に延在する立った姿勢であるのに対し、作動位置において第１装飾体部３６は斜め右向きの傾斜姿勢となる。すなわち、大型で長尺な第１装飾体部３６を傾斜姿勢から立った姿勢に引き起こす際には、前記第１モータ３５に加わる負荷は大きくなるが、このときには前記第１捻りコイルバネ５７の付勢力によって第１の可動体３４が待機位置に移動するのを補助するので、第１モータ３５に加わる負荷を軽減することができる。従って、第１モータ３５として小型のものを使用し得ると共に、耐久寿命を延ばすことができる。なお、第１の可動体３４が待機位置から作動位置に移動する際には、第１捻りコイルバネ５７の付勢力に抗して第１モータ３５が第１の可動体３４を駆動することとなるが、このときには第１装飾体部３６の重量が作動位置に向かう方向に作用するから、第１捻りコイルバネ５７の付勢力が第１モータ３５にとって大きな負担となることはない。
【０１２５】
前記第１の可動体３４に設けた第１ＬＥＤ基板６５のコネクタ受け部６５ａに接続する第１配線Ｈ１は、第１光透過部材６４と固定部５５との隙間から、第１可動基部３７の本体部３７ａと第１カバー体４０の前板４０ａとの間の前記案内壁６３,６３間に引き込まれている。また第１配線Ｈ１は、図１４、図１５に示す如く、前記配線口４０ｆから外部に引き出された後に、正面視において第１カバー４０の前側で前記左第２軸受部４０ｄを囲むように環状に巻かれると共に、第１カバー体４０における前板４０ａの前面に形成されたカバー側配線止め部８４に結束具８４ａを介して結束されて移動しないように保持されている。
【０１２６】
前記第１の可動体３４が待機位置から作動位置へ揺動する際には、図１５(ｂ)に示す如く、前記第１カバー体４０の前側で巻かれている第１移動許容部８３は、径が大きくなって負荷が低減する許容状態へと状態変化することで、第１配線Ｈ１が引っ張られることなく第１の可動体３４の移動が許容される。また、第１の可動体３４が作動位置から待機位置へ揺動する際には、第１移動許容部８３は径が小さくなる状態に変化するものの、第１移動許容部８３の初期状態において該第１移動許容部８３には配線を破損するような大きな負荷は加わらないように設定されている。すなわち、第１の可動体３４が待機位置と作動位置との間を移動するに際し、第１移動許容部８３に大きな負荷が加わることはなく、第１配線Ｈ１の破損を防止し得る。
【０１２７】
前記第１配線Ｈ１の第１移動許容部８３は環状に形成されて、第１の可動体３４の移動時には径が大きくなったり小さくなるよう変化するから、第１配線Ｈ１の特定部位が鋭角に屈曲して負荷が集中することはなく、第１配線Ｈ１の破損をより防止し得る。また、第１移動許容部８３は、第１の可動体３４の揺動中心を囲む環状に形成されているから、該第１の可動体３４の揺動に際して第１移動許容部８３はスムーズに状態変化し、第１配線Ｈ１に加わる負荷をより軽減し得る。
【０１２８】
ここで、前記第１の可動体３４の移動に際して第１移動許容部８３では、可動側となる第１ＬＥＤ基板６５側に引き回されている前記第１部位８３ａが、前記カバー側配線止め部８４に固定されている側に引き回されている前記第２部位８３ｂより大きく移動する。この場合に、第１部位８３ａは第２部位８３ｂの後側に位置し、第２部位８３ｂと第１カバー体４０の前板４０ａとで第１部位８３ａが挟まれているから、大きく移動する第１部位８３ａが前方へ変位するのを第２部位８３ｂで抑制することができる。すなわち、第１配線Ｈ１が意図しない前方へ移動して他の部品に接触するのを確実に防止し得る。また、第１部位８３ａ側の第１配線Ｈ１は、図１５に示す如く、前記案内壁６３,６３で案内されて本体部３７ａの板面に沿った方向への移動は規制されているから、第１ＬＥＤ基板６５から第１移動許容部８３に至るまでの間の第１配線Ｈ１が意図しない方向に変位してしまうことはない。すなわち、第１の可動体３４の移動に際しては、第１移動許容部８３を変位させることができ、第１配線Ｈ１に大きな負荷が加わったり他の部品に引っ掛かったりするのを防止し、第１配線Ｈ１が破損したり第１の可動体３４の円滑な移動が阻害されるのを防ぐことができる。
【０１２９】
前記第１の可動体３４における第２光透過部材６６は、図１６、図１７に示す如く、前記第１ＬＥＤ基板６５の第１ＬＥＤ７２を収容する収容凹部７３の側方に第１光拡散部７４を位置させて、該第１ＬＥＤ基板６５の第１ＬＥＤ７２から側方へ向けて照射された光の一部を、第１光拡散部７４の第１反射面７４ａを介して第２光透過部材６６の長手方向へ反射し、この反射光を第２光拡散部７５の第２反射面７５ａで側方(第１光透過部材６４の側面板７０側)へ反射するようになっている。
【０１３０】
ここで、前記第２光拡散部７５を収容凹部７３から離間する方向に連続して複数形成すると共に、各第２反射面７５ａにおける第２面７１ｂ側の先端部が前記収容凹部７３から離間するにつれて側方(第２面７１ｂ側)へ変位するよう位置させているから、第１反射面７４ａで反射された反射光を収容凹部７３から離間位置する第２反射面７５ａに対しても効果的に照射することができる。これにより、第１光拡散部７４の第１反射面７４ａを介して反射された反射光を、第２光拡散部７５の第２反射面７５ａで確実に受け止めて側方に反射させることができる。しかも、収容凹部７３(すなわち第１ＬＥＤ基板６５における第１ＬＥＤ７２の配置位置)から離れた位置の第２光拡散部７５の第２反射面７５ａに対しても反射光を確実に行き渡らせることができ、１つの第１ＬＥＤ７２の光を照射可能な範囲を格段に広げることができる。従って、広い範囲に光を照射する必要がある場合においても第１ＬＥＤ７２の数を低減でき、部品点数の削減により製造工程の簡略化を図り得ると共に、コストの低減を実現できる。そして、第２反射面７５ａで側方に反射された光によって、前記第１光透過部材６４における傾斜面７０ａが形成された側面板７０が明輝する。実施例では、第１光透過部材６４の傾斜面７０ａが、刀身の刃先に対応しているから、該刃先が明輝することで演出効果を向上することができる。
【０１３１】
前記収容凹部７３における第１ＬＥＤ７２からの光が直接照射される面を、該第１ＬＥＤ７２側に凸となる弧状面７３ａとしてあるから、該弧状面７３ａで光を集光して第１光拡散部７４の第１反射面７４ａに照射することができ、収容凹部７３から離れた位置の第２光拡散部７５の第２反射面７５ａに対しても強い光を照射し得る。また、前記第１光拡散部７４を挟んで第２光透過部材６６の長手方向の両側に第３光拡散部７６を形成すると共に、第１光拡散部７４の第２面７１ｂ側に第４光拡散部７７を形成し、収容凹部７３に隣り合う基端第２反射面７５ａおよび近接する第２光拡散部７５の第２反射面７５ａからの反射光の一部を、第３光拡散部７６の第３反射面７６ａを介して第４光拡散部７７の第４反射面７７ａに照射し、該第４反射面７７ａで側方(第１光透過部材６４の側面板７０側)へ反射するようにしている。すなわち、第１光拡散部７４の第１反射面７４ａで第２光拡散部７５に光が反射されることで、該第１光拡散部７４を透過して側方へ照射される光量が少なくなるが、第２反射面７５ａから側方に反射される光の一部を再び第１光拡散部７４の側方に戻すことで、前記第１光透過部材６４の側面板７０を長手方向に略均一の明るさで明輝させることができる。
【０１３２】
また、前記第２光透過部材６６における第１光透過部材６４の側面板７０に対向する端面に突出部７８を設け、前記第４光拡散部７７から側方に照射された光の一部を、該突出部７８の後方傾斜面７８ａで第１光透過部材６４の前面板６９に向けて反射するようにしている。すなわち、前記第１ＬＥＤ７２から照射された光で、第１光透過部材６４における交差する前面板６９と側面板７０とを明輝させることができ、少ないＬＥＤで効果的な発光演出を行ない得る。
【０１３３】
更に、前記第１の可動体３４では、図１８に示す如く、前記第２光透過部材６６の面板部６６ａに複数の前側光拡散部７９を設け、前記第１ＬＥＤ基板６５に設けた第２ＬＥＤ８１から照射された光を、該前側光拡散部７９を介して第１光透過部材６４の前面板６９に照射するようになっている。前側光拡散部７９では、図１６に示す如く、第２ＬＥＤ８１と対向する平坦面７９ａを中心として第６光拡散部８２を同心円状に連続して複数形成すると共に、各第６光拡散部８２の第６反射面８２ａにおける前端部が前記平坦面７９ａから離間するにつれて前側へ変位するよう位置させているから、第５反射面８０ａで反射された反射光を平坦面７９ａから離間位置する第６反射面８２ａに対しても効果的に照射することができる。これにより、第５光拡散部８０の第５反射面８０ａを介して反射された反射光を、第６光拡散部８２の第６反射面８２ａで確実に受け止めて前方に反射させることができる。しかも、平坦面７９ａ(すなわち第１ＬＥＤ基板６５における第２ＬＥＤ８１の配置位置)から離れた位置の第６光拡散部８２の第６反射面８２ａに対しても反射光を確実に行き渡らせることができ、１つの第２ＬＥＤ８１の光を照射可能な範囲を格段に広げることができる。従って、第２ＬＥＤ８１の数を低減でき、部品点数の削減により製造工程の簡略化を図り得ると共に、コストの低減を実現できる。そして、第６反射面８２ａで前方に反射された光によって、前記第１光透過部材６４における前面板６９が明輝する。実施例では、第１ＬＥＤ７２の光を拡散する光拡散部による拡散形態と、第２ＬＥＤ８１の光を拡散する光拡散部による拡散形態とを異ならせているから、第１光透過部材６４の表面において異なる明輝形態が現われ、全体が同じ形態で明輝する場合に比べて演出効果を向上することができる。
【０１３４】
次に、ユニット化されている前記第１可動演出装置Ｍ１における第１支持部材３３に対する第１の可動体３４の組付けについて説明する。
【０１３５】
前記後板３９ａの裏側に第１補強板金４１を配設して第１支持軸４１ａが前側に突出されている前記第１取付ベース体３９を、作業台等に後板３９ａの前面が上向きとなる姿勢で載置したもとで、前記各後受部４４の凹部４４ａに上方から後球体４５を夫々嵌め込む。次に、第１の可動体３４における第１可動基部３７を、第１取付ベース体３９の上方から接近して前記軸孔５３ａに第１支持軸４１ａを挿通すると共に支持突部３７ｃを中心通孔３９ｃに挿入し、該第１可動基部３７の裏面に形成されている第２の突条部５９を後球体４５に接触させる。このように第１取付べース体３９に第１可動基部３７を取付けた後、該第１可動基部３７の前受部６０の凹部６０ａに対し、上方から前球体６１を夫々嵌め込む。そして、第１可動基部３７に対し、前記固定部５５が切欠部３９ｄに臨むと共に前記第１の突条部４０ｅが前球体６１に接触するように前記第１カバー体４０を被せる。このとき、前記第１支持軸４１ａの先端を左第１軸受部４０ｃで支持すると共に、軸支部５３を左第２軸受部４０ｄに挿入する。最後に、第１カバー体４０を第１取付ベース体３９にネジ止め固定することで、第１支持部材３３に対して第１の可動体３４が揺動自在に支持された状態で組付けられる。
【０１３６】
前述したように、前記後球体４５が転動自在に遊嵌される後受部４４を第１取付ベース体３９の前側に設けると共に、前記前球体６１が転動自在に遊嵌される前受部６０を第１可動基部３７の前側に設けることで、第１支持部材３３に対する第１の可動体３４の組付けに際しては、各部品を一方向から順に組付けるだけでよく、組付け作業が容易となる。
【０１３７】
(第２可動演出装置の作用について)
次に、前記第２可動演出装置Ｍ２の作用を説明する。前記第２の可動体８６の第２可動基部８９は、図２２に示す如く、前後の両側から転動自在な前球体１１９および後球体９８で移動自在に支持されている。すなわち、第２の可動体８６の揺動時には対応する前後の球体１１９,９８が夫々転動することで、摺動する場合に比べて著しく抵抗を低減することができる。従って、前記第２支持部材８５に支持されている第２可動基部８９に対して第２装飾体部８８が長く設定された大型の第２の可動体８６においても、該可動体８６を円滑に揺動させることができ、かつ第２の可動体８６を揺動する第２モータ８７に加わる負荷も低く抑え得る。
【０１３８】
前記第２の可動体８６の揺動に際しては、第２可動基部８９の裏面に接触する後球体９８および第２カバー体９２の裏面に接触する前球体１１９の夫々が転動するから、該球体９８,１１９が接触する面の摩耗は抑制され、球体９８,１１９による第２の可動体８６の長期に亘る安定した支持が図られ、よって第２の可動体８６の円滑な動作は長期に亘って維持される。更に、前記第２の可動体８６の揺動に際し、前記第２取付ベース体９１に配設した後球体９８は、前記第２可動基部８９に突設した対応する外突条部１１５および内突条部１１６に接触して転動し、該第２可動基部８９に配設した前球体１１９は、前記第２カバー体９２に突設した対応する外突条部９２ｅおよび内突条部９２ｆに接触して転動する。すなわち、各突条部１１５,１１６,９２ｅ,９２ｆは、第２可動基部８９の裏面または第２カバー体９２の裏面から所要高さで突出しているから、各球体９８,１１９が接触する各突条部１１５,１１６,９２ｅ,９２ｆが摩耗したとしても、第２取付ベース体９１(具体的には内外の後受部９６,９７)が第２可動基部８９の裏面に摺接したり、第２可動基部８９(具体的には内外の前受部１１７,１１８)が第２カバー体９２の裏面に摺接してしまうまでの期間を延ばすことができる。
【０１３９】
前記第２可動基部８９の前後に配置される前球体１１９および後球体９８は、何れも周方向に等間隔で配置されているから、第２可動基部８９が前記第２支持軸９３ａを中心として揺動する際の第２の可動体８６の動作が安定する。また、前記第２取付ベース体９１の後板９１ａには裏側に第２補強板金９３が配設されているから、該後板９１ａが変形するのは抑制される。すなわち、第２の可動体８６の揺動時における前後方向の偏倚は抑制されるから、前述したように第２の可動体８６と第１の可動体３４とが動作時に前後の関係で交差可能な構成において、両可動体８６,３４の移動経路を相互に干渉しない範囲でより近づけることができ、パチンコ機自体の前後寸法の短縮化に寄与し得る。
【０１４０】
前記第２可動演出装置Ｍ２の第２の可動体８６の基準となる待機位置において、前記第２可動基部８９に対する前球体１１９および後球体９８の各位置は、後側に位置して周方向に隣り合う後球体９８と後球体９８との周方向における中間に、前側に位置する各前球体１１９が臨んでいる(図２３参照)。また、第２可動基部８９の本体部１０９における大径部１０９ａを支持する前後の球体１１９,９８が、該大径部１０９ａの外周縁に近接した位置を支持すると共に、本体部１０９における小径部１０９ｂを支持する前後の球体１１９,９８が、該小径部１０９ｂの外周縁に近接した位置を支持している。すなわち、正面視において周方向に８個の球体１１９,９８が等間隔(４５°の角度間隔)で位置し、かつ第２可動基部８９の外周縁に近接した位置で該第２可動基部８９を夫々支持しているから、当該待機位置において第２可動基部８９を安定して支持することができ、第２の可動体８６を適正な姿勢に保持し得る。しかも、第２の可動体８６の移動時においても、前後の球体１１９,９８は第２可動基部８９の外周縁を支持する関係を保っているので、第２可動基部８９の軸方向への変位を抑制して第２の可動体８６の安定した動作を達成することができる。
【０１４１】
また、正面視において前後の球体１１９,９８が周方向に交互に位置することで、正面視において第２可動基部８９に対して球体１１９,９８が接触する周方向の間隔は、前球体１１９のみまたは後球体９８のみでの間隔より小さくなる(半分となる)。すなわち、第２可動基部８９に配設される前球体１１９、および第２取付ベース体９１に配設される後球体９８について、少ない配設数で第２可動基部８９を安定して支持することができ、部品点数を低減してコストを抑えることができる。なお、第２の可動体８６の待機位置において、前記第２装飾体部８８の長手方向が前記第２支持軸９３ａの上方に整列した状態で延在しており、該長手方向に沿って２つの後球体９８が第２支持軸９３ａを挟んで位置することで、該第２の可動体８６の安定した保持に寄与している。
【０１４２】
ここで、前記第２可動基部８９に対して第２装飾体部８８は、第２可動基部８９の固定部１０３に対して第２装飾体部８８の被固定部１２６が、前記複数の固定用ボス１２７を対応する筒受部１１４に夫々嵌挿してネジ止め固定しているから、両者８８,８９は強固に位置決め固定される。しかも、第２装飾体部８８の被固定部１２６は、図２３に示す如く、該被固定部１２６を周方向で挟む両側の外前受部１１７,１１７に遊嵌された前球体１１９,１１９を結ぶ仮想支持ラインＴ３より内側に延出すると共に、該延出部分において第２可動基部８９の本体部１０９に対してネジ止め固定されている。すなわち、第２可動基部８９に対して第２装飾体部８８は、該第２可動基部８９を支持する２つの前球体１１９,１１９を結ぶ仮想支持ラインＴ３を挟んで径方向の内側と外側とでネジ止め固定されているから、第２装飾体部８８が前後方向へ変位するのを前球体１１９,１１９で規制することができ、第２の可動体８６のより安定した動作を達成し得る。
【０１４３】
前記第２可動演出装置Ｍ２では、図２５に示す如く、第２支持部材８５に収容可能なできるだけ大きな第２可動基部８９(大径部１０９ａ)を採用することで、前記球体１１９,９８による安定した支持を図り得るようにする一方で、該第２可動基部８９の一部に小径部１０９ｂを設け、第２支持部材８５に設けた規制部１００が小径部１０９ｂ内に位置するようにしている。そして、小径部１０９ｂと大径部１０９ａとの間の規制壁１０６ｃ,１０６ｄが規制部１００に当接する範囲で、第２の可動体８６の移動範囲を規制するよう構成してある。すなわち、第２の可動体８６を安定して支持し得ると共に、該第２の可動体８６の移動範囲を規制することができる。しかも、大径部１０９ａおよび小径部１０９ｂの何れにおいても、前述したように外周縁に近接した位置が前後の球体１１９,９８で支持されるから、第２の可動体８６の安定した移動を達成し得る。
【０１４４】
前記第２可動演出装置Ｍ２では、前記第２可動基部８９に配設した第２捻りコイルバネ１１１によって第２の可動体８６は待機位置に向けて付勢されるようなっており、前記第２装飾体部８８を大型化しても、第２の可動体８６を待機位置に確実に保持しておくことができ、パチンコ機１０が振動等した際に、第２の可動体８６が意図しない動きを行なってしまうのを防止し得る。
【０１４５】
ここで、実施例の第２の可動体８６は、図４および図５に示す如く、待機位置では第２装飾体部８８が上下方向に延在する立った姿勢であるのに対し、作動位置において第２装飾体部８８は斜め左向きの傾斜姿勢となる。すなわち、大型で長尺な第２装飾体部８８を傾斜姿勢から立った姿勢に引き起こす際には、前記第２モータ８７に加わる負荷は大きくなるが、このときには前記第２捻りコイルバネ１１１の付勢力によって第２の可動体８６が待機位置に移動するのを補助するので、第２モータ８７に加わる負荷を軽減することができる。従って、第２モータ８７として小型のものを使用し得ると共に、耐久寿命を延ばすことができる。なお、第２の可動体８６が待機位置から作動位置に移動する際には、第２捻りコイルバネ１１１の付勢力に抗して第２モータ８７が第２の可動体８６を駆動することとなるが、このときには第２装飾体部８８の重量が作動位置に向かう方向に作用するから、第２捻りコイルバネ１１１の付勢力が第２モータ８７にとって大きな負担となることはない。
【０１４６】
前記第２の可動体８６に設けた第２ＬＥＤ基板１２２のコネクタ受け部１２２ｂに接続する第２配線Ｈ２は、装飾本体１２５と固定部１０３との隙間から、第２可動基部８９の本体部１０９と第２カバー体９２の前板９２ａとの間に引き込まれている。また第２配線Ｈ２は、図２４、図２５に示す如く、前記配線口９２ｇから外部に引き出された後に、正面視において第２カバー体９２の前側で前記右第２軸受部９２ｄを囲むように環状に巻かれると共に、第２カバー体９２における前板９２ａの前面に保持手段１２９によって移動しないように保持されている。
【０１４７】
前記第２の可動体８６が待機位置から作動位置へ揺動する際には、図２５(ｂ)に示す如く、前記第２カバー体９２の前側で巻かれている第２移動許容部１２８は、径が大きくなって負荷が低減する許容状態へと状態変化することで、第２配線Ｈ２が引っ張られることなく第２の可動体８６の移動が許容される。また、第２の可動体８６が作動位置から待機位置へ揺動する際には、第２移動許容部１２８は径が小さくなる状態に変化するものの、第２移動許容部１２８の初期状態において該第２移動許容部１２８には配線を破損するような大きな負荷は加わらないように設定されている。すなわち、第２の可動体８６が待機位置と作動位置との間を移動するに際し、第２移動許容部１２８に大きな負荷が加わることはなく、第２配線Ｈ２の破損を防止し得る。
【０１４８】
前記第２配線Ｈ２の第２移動許容部１２８は環状に形成されて、第２の可動体８６の移動時には径が大きくなったり小さくなるよう変化するから、第２配線Ｈ２の特定部位が鋭角に屈曲して負荷が集中することはなく、第２配線Ｈ２の破損をより防止し得る。また、第２移動許容部１２８は、第２の可動体８６の揺動中心を囲む環状に形成されているから、該第２の可動体８６の揺動に際して第２移動許容部１２８はスムーズに状態変化し、第２配線Ｈ２に加わる負荷をより軽減し得る。
【０１４９】
ここで、前記第２の可動体８６の移動に際して第２移動許容部１２８では、可動側となる第２ＬＥＤ基板１２２側に引き回されている前記第１部位１２８ａが、前記第２カバー体９２の前面に保持手段１２９で固定されている側に引き回されている前記第２部位１２８ｂより大きく移動する。この場合に、第１部位１２８ａは第２部位１２８ｂの後側に位置し、第２部位１２８ｂと第２カバー体９２の前板９２ａとで第１部位１２８ａが挟まれているから、大きく移動する第１部位１２８ａが前方へ変位するのを第２部位１２８ｂで抑制することができる。すなわち、第２配線Ｈ２が意図しない前方へ移動して他の部品に接触するのを確実に防止し得る。従って、第２の可動体８６の移動に際して第２配線Ｈ２に大きな負荷が加わったり他の部品に引っ掛かったりするのを防止し、第２配線Ｈ２が破損したり第２の可動体８６の円滑な移動が阻害されるのを防ぐことができる。
【０１５０】
次に、ユニット化されている前記第２可動演出装置Ｍ２における第２支持部材８５に対する第２の可動体８６の組付けについて説明する。
【０１５１】
前記後板９１ａの裏側に第２補強板金９３を配設して第２支持軸９３ａが前側に突出されている前記第２取付ベース体９１を、作業台等に後板９１ａの前面が上向きとなる姿勢で載置したもとで、前記内外の各後受部９６,９７の凹部９６ａ,９７ａに上方から後球体９８を夫々嵌め込む。次に、第２の可動体９６における第２可動基部８９を、第２取付ベース体９１の上方から接近して前記軸孔１０７ａに第２支持軸９３ａを挿通すると共に支持突部８９ａを中心通孔９１ｃに挿入し、該第２可動基部８９の裏面に形成されている内外の各突条部１１５,１１６を後球体９８に接触させる。このように第２取付べース体９１に第２可動基部８９を取付けた後、該第２可動基部８９の内外の１１７,１１８の凹部１１７ａ,１１８ａに対し、上方から前球体１１９を夫々嵌め込む。そして、第２可動基部８９に対し、前記固定部１０３が切欠部９１ｄの内側に臨むと共に前記内外の突条部９２ｅ,９２ｆが前球体１１９に接触するように前記第２カバー体９２を被せる。このとき、前記第２支持軸９３ａの先端を右第１軸受部９２ｃで支持すると共に、軸支部１０７を右第２軸受部９２ｄに挿入する。最後に、第２カバー体９２を第２取付ベース体９１にネジ止め固定することで、第２支持部材８５に対して第２の可動体８６が揺動自在に支持された状態で組付けられる。
【０１５２】
前述したように、前記後球体９８が転動自在に遊嵌される後受部９６,９７を第２取付ベース体９１の前側に設けると共に、前記前球体１１９が転動自在に遊嵌される前受部１１７,１１８を第２可動基部８９の前側に設けることで、第２支持部材８５に対する第２の可動体８６の組付けに際しては、各部品を一方向から順に組付けるだけでよく、組付け作業が容易となる。
【０１５３】
(第３可動演出装置の作用について)
次に、前記第３可動演出装置Ｍ３の作用を説明する。すなわち、前記駆動機構を作動することで、前記第３の可動体１３０は、図１および図２に示す如く、前記枠状装飾部材２３における窓口２３ａの上縁部の待機位置と図柄表示装置１３の表示部１３中央側の作動位置との間を移動する。
【０１５４】
前記第３の可動体１３０では、図３１に示す如く、前記第４光透過部材１３５の対向面部１３５ａに複数の光拡散構成部１３６を設け、前記第３ＬＥＤ基板１３３に設けた第１ＬＥＤ１３３ａから照射された光を、該光拡散構成部１３６を介して第３光透過部材１３４の前面部１３４ａに照射するようになっている。光拡散構成部１３６では、図２９に示す如く、第１ＬＥＤ１３３ａと対向する弧状凸面１３７を中心として第８光拡散部１３９を同心円状に連続して複数形成すると共に、各第８光拡散部１３９の内側第８反射面１３９ａにおける前端部が前記弧状凸面１３７から離間するにつれて前側へ変位するよう位置させているから、前記第７反射面１３８ａで反射された反射光を弧状凸面１３７から離間位置する内側第８反射面１３９ａに対しても効果的に照射することができる。しかも、第１ＬＥＤ１３３ａからの光が直接照射される面を、該第１ＬＥＤ１３３ａ側に凸となる弧状凸面１３７としてあるから、該弧状凸面１３７で光を集光して第７光拡散部１３８の第７反射面１３８ａに照射することができ、弧状凸面１３７から離れた位置の第８光拡散部１３９の内側第８反射面１３９ａに対しても強い光を照射し得る。これにより、第７光拡散部１３８の第７反射面１３８ａを介して反射された反射光を、第８光拡散部１３９の内側第８反射面１３９ａで確実に受け止めて前方に反射させることができる。しかも、弧状凸面１３７(すなわち第３ＬＥＤ基板１３３における第１ＬＥＤ１３３ａの配置位置)から離れた位置の第８光拡散部１３９の内側第８反射面１３９ａに対しても強い反射光を確実に行き渡らせることができる。
【０１５５】
前記内側第８反射面１３９ａで前方に反射された光は、第４光透過部材１３５を透過した後に前記第３光透過部材１３４の前面部１３４ａに照射され、該前面部１３４ａが照明される。この場合に、第４光透過部材１３５の前面に光拡散加工が施されると共に、第３光透過部材１３４の前面部１３４ａにも光拡散加工が施されているから、内側第８反射面１３９ａで前方に反射された光は、第４光透過部材１３５および第３光透過部材１３４で夫々乱反射してより広範囲を明輝することができる。すなわち、１つの第１ＬＥＤ１３３ａの光を照射可能な範囲を格段に広げることができ、ＬＥＤの数を低減でき、部品点数の削減により製造工程の簡略化を図り得ると共に、コストの低減を実現できる。また、第４光透過部材１３５および第３光透過部材１３４に施される光拡散加工の形態を異ならせているから、興趣のある発光演出を行なうことができる。
【０１５６】
また前記第３の可動体１３０では、図３１に示す如く、前記第４光透過部材１３５の対向面部１３５ａには、前記光拡散構成部１３６とは形態が異なる複数の異形光拡散部１４０を設け、前記第３ＬＥＤ基板１３３に設けた第２ＬＥＤ１３３ｂから照射された光を、該異形光拡散部１４０を介して第３光透過部材１３４の前面部１３４ａに照射するようになっている。異形光拡散部１４０は、前記光拡散構成部１３６とは区画された十字状の凹溝からなり、該溝内に複数の第９光拡散部１４２が形成されており、前記第２ＬＥＤ１３３ｂから前側に向けて照射された光は、図３０に示す如く、第９光拡散部１４２の第９反射面１４２ａで乱反射して、当該異形光拡散部１４０の全体を明輝することができる。
【０１５７】
ここで、異形光拡散部１４０の第９光拡散部１４２は、溝の幅方向に直線的に延在し、かつ溝の延在方向に並列に配置されるのに対し、前記光拡散構成部１３６の第８光拡散部１３９は、前記弧状凸面１３７を中心に同心円状に配置されている。すなわち、異形光拡散部１４０の第９光拡散部１４２で光が乱反射した際に明輝する形態と、光拡散構成部１３６の第８光拡散部１３９で光が反射した際に明輝する形態とは明らかに異なり、第３光透過部材１３４の表面において異なる明輝形態として現われ、全体が同じ形態で明輝する場合に比べて演出効果を向上することができる。
【０１５８】
また、前記第４光透過部材１３５における対向面部１３５ａの前面では、前記異形光拡散部１４０に対応する位置を除く部位に光拡散加工が施されているのに対し、該異形光拡散部１４０に対応する位置は平坦面１４３とされている。これにより、異形光拡散部１４０の形成部位と光拡散構成部１３６の形成部位とでの明輝形態が異なることが明確となり、より興趣のある発光演出を行なうことができる。
【０１５９】
(変更例)
なお、遊技機の構成としては、実施例のものに限らず、種々の変更が可能である。
(1) 実施例では、可動体を所定角度範囲で回転(揺動)するよう構成したが、これに限らず、可動体を３６０°回転するよう構成してもよく、また直線運動する構成を採用し得る。
(2) 実施例では、移動する第３の可動体に第３光透過部材(第１の光透過部材)および第４光透過部材(第２の光透過部材)を配設したが、該第３光透過部材(第１の光透過部材)および第４光透過部材(第２の光透過部材)の配設部位は、遊技盤や枠状装飾部材等の固定部位であってもよい。
(3) 第３光透過部材(第１の光透過部材)および第４光透過部材(第２の光透過部材)に対する光拡散加工としては、実施例に示した構成のものに限られるものではなく、シボ加工等のように光を拡散する従来公知の光拡散加工により形成してもよい。また別途設けた光拡散シートを貼付する構成も採用可能である。
(4) 第４光透過部材(第２の光透過部材)に形成される各光拡散部の数や設置位置は、実施例のものに限らず、任意に決定することができる。
(5) 第４光透過部材(第２の光透過部材)に形成される各光拡散部における断面形状や反射面の角度は、実施例のものに限らず、任意に決定することができる。
(6) 実施例では、第４光透過部材(第２の光透過部材)に形成される第８光拡散部を全て同一の断面形状に形成するようにしたが、第８光拡散部毎に断面形状を変更するようにしてもよい。
(7) 実施例では、第４光透過部材(第２の光透過部材)に形成する光拡散構成部(光拡散部)として、対向面部の前面と裏面とに形成した、第７光拡散部、弧状凸面および複数の第８光拡散部(凹部)から構成した場合で説明したが、対向面部の裏面に形成した複数の第８光拡散部(凹部)のみで構成したものであってもよい。すなわち、同心円状に配置した複数の第８光拡散部(凹部)の中心に対応して配置された第１ＬＥＤ(第１発光体)から照射される光を、複数の第８光拡散部(凹部)の夫々で反射して前面側を明輝させる構成であればよい。
(8) 第４光透過部材(第２の光透過部材)に形成される異形光拡散部(光透過部)における形状は、実施例のものに限らず、任意に決定することができる。
(9) 実施例では、遊技盤を透明板から構成するようにしたが、ベニヤ板等の木製の遊技盤を採用することもできる。
(10) 実施例では、遊技機としてパチンコ機を例示して説明したが、これに限られるものではなく、アレンジボール機やピンボール機、スロットマシン機等の各種遊技機を採用し得る。
【符号の説明】
【０１６０】
１３３ａ  第１ＬＥＤ(第１発光体)
１３３ｂ  第２ＬＥＤ(第２発光体)
１３４  第３光透過部材(第１の光透過部材)
１３５  第４光透過部材(第２の光透過部材)
１３６  光拡散構成部(光拡散部)
１３８  第７光拡散部(反射凹部)
１３９  第８光拡散部(凹部)
１４０  異形光拡散部(光透過部)
１４３  平坦面
Ｍ３  第３可動演出装置(演出装置)
【図１】
0005431395.tif 000002
【図２】
0005431395.tif 000003
【図３】
0005431395.tif 000004
【図４】
0005431395.tif 000005
【図５】
0005431395.tif 000006
【図６】
0005431395.tif 000007
【図７】
0005431395.tif 000008
【図８】
0005431395.tif 000009
【図９】
0005431395.tif 000010
【図１０】
0005431395.tif 000011
【図１１】
0005431395.tif 000012
【図１２】
0005431395.tif 000013
【図１３】
0005431395.tif 000014
【図１４】
0005431395.tif 000015
【図１５】
0005431395.tif 000016
【図１６】
0005431395.tif 000017
【図１７】
0005431395.tif 000018
【図１８】
0005431395.tif 000019
【図１９】
0005431395.tif 000020
【図２０】
0005431395.tif 000021
【図２１】
0005431395.tif 000022
【図２２】
0005431395.tif 000023
【図２３】
0005431395.tif 000024
【図２４】
0005431395.tif 000025
【図２５】
0005431395.tif 000026
【図２６】
0005431395.tif 000027
【図２７】
0005431395.tif 000028
【図２８】
0005431395.tif 000029
【図２９】
0005431395.tif 000030
【図３０】
0005431395.tif 000031
【図３１】
0005431395.tif 000032